(57)【要約】  本願は、無線リンク障害を処理する方法、端末デバイス、およびネットワークデバイスを提供する。方法は、端末デバイスにより、複製されたデータパケットを第1のキャリアと第2のキャリアでネットワークデバイスへ送信するステップと、第1のキャリアと第2のキャリアのうち少なくともいずれか一方でRLFイベントが発生したと判断する場合に、端末デバイスにより、ネットワークデバイスへRLF指示情報を送信するステップであって、RLF指示情報は、第1のキャリアで、第2のキャリアで、または第1のキャリアと第2のキャリアで、RLFイベントが発生したことを指示するために使われる、ステップとを、含む。前述した技術的解決手段は無線リンク障害の処理を最適化できる。
2020523946.tif 000002
【特許請求の範囲】
【請求項１】
無線リンク障害RLFを処理する方法であって、前記方法は、
端末デバイスにより、複製されたデータパケットを第1のキャリアと第2のキャリアでネットワークデバイスへ送信するステップと、
前記第1のキャリアと前記第2のキャリアのうち少なくともいずれか一方でRLFイベントが発生したと判断する場合に、前記端末デバイスにより、前記ネットワークデバイスへRLF指示情報を送信するステップであって、前記RLF指示情報は、前記第1のキャリアで、前記第2のキャリアで、または前記第1のキャリアと前記第2のキャリアで、前記RLFイベントが発生したことを指示するために使われる、ステップとを含む、方法。
【請求項２】
前記第1のキャリアは第1の一次コンポーネントキャリアであり、前記第2のキャリアは第1の二次コンポーネントキャリアであり、前記方法は、
前記RLFイベントが前記第1のキャリアで発生し、前記第2のキャリアで発生しない場合に、前記端末デバイスにより、前記ネットワークデバイスによって送信される第2の一次コンポーネントキャリアの構成情報を受信し、複製されたデータパケットを前記第2の一次コンポーネントキャリアと前記第2のキャリアで前記ネットワークデバイスへ送信するステップ、
前記RLFイベントが前記第1のキャリアで発生せず、前記第2のキャリアで発生する場合に、前記端末デバイスにより、前記ネットワークデバイスによって送信される第2の二次コンポーネントキャリアの構成情報を受信し、複製されたデータパケットを前記第1のキャリアと前記第2の二次コンポーネントキャリアで前記ネットワークデバイスへ送信するステップ、あるいは
前記RLFイベントが前記第1のキャリアと前記第2のキャリアの両方で発生する場合に、前記端末デバイスにより、前記ネットワークデバイスによって送信される前記第2の一次コンポーネントキャリアの前記構成情報と前記第2の二次コンポーネントキャリアの前記構成情報を受信し、複製されたデータパケットを前記第2の一次コンポーネントキャリアと前記第2の二次コンポーネントキャリアで前記ネットワークデバイスへ送信するステップをさらに含む、請求項1に記載の方法。
【請求項３】
前記第1のキャリアは第1の二次コンポーネントキャリアであり、前記第2のキャリアは第2の二次コンポーネントキャリアであり、前記方法は、
前記RLFイベントが前記第1のキャリアと前記第2のキャリアのいずれか一方で発生し、前記第1のキャリアと前記第2のキャリアの他方で発生しない場合に、前記端末デバイスにより、第3の二次コンポーネントキャリアの構成情報を受信し、複製されたデータパケットを前記第3の二次コンポーネントキャリアと前記RLFイベントが発生していない前記キャリアで前記ネットワークデバイスへ送信するステップ、あるいは
前記RLFイベントが前記第1のキャリアと前記第2のキャリアの両方で発生する場合に、前記端末デバイスにより、前記第3の二次コンポーネントキャリアの前記構成情報と第4の二次コンポーネントキャリアの構成情報を受信し、複製されたデータパケットを前記第3の二次コンポーネントキャリアと前記第4の二次コンポーネントキャリアで前記ネットワークデバイスへ送信するステップをさらに含む、請求項1に記載の方法。
【請求項４】
前記第1のキャリアは第1の一次コンポーネントキャリアであり、前記第2のキャリアは第1の二次コンポーネントキャリアであり、前記方法は、
前記RLFイベントが前記第1のキャリアで発生する場合に、前記端末デバイスにより、再確立命令情報を受信し、前記ネットワークデバイスとのRRC再確立を遂行するステップであって、前記再確立命令情報は、前記ネットワークデバイスとのRRC再確立を遂行することを前記端末デバイスに命令するために使われる、ステップ、あるいは
前記RLFイベントが前記第1のキャリアで発生せず、前記第2のキャリアで発生する場合に、前記端末デバイスにより、前記ネットワークデバイスによって送信される第2の二次コンポーネントキャリアの構成情報を受信し、複製されたデータパケットを前記第1のキャリアと前記第2の二次コンポーネントキャリアで前記ネットワークデバイスへ送信するステップをさらに含む、請求項1に記載の方法。
【請求項５】
前記ネットワークデバイスが二次基地局であり、前記RLFイベントが前記第1のキャリアで発生する場合、前記ネットワークデバイスへRLF指示情報を送信する前記ステップは、
タイマーが切れ、前記端末デバイスが前記ネットワークデバイスへのデータパケット送信のために前記第1のキャリアの使用を再開しなかったと前記端末デバイスが判断する場合に、前記端末デバイスにより、前記ネットワークデバイスへ前記RLF指示情報を送信するステップであって、前記タイマーは、前記RLFイベントが前記第1のキャリアで発生したと前記端末デバイスが判断するときにスタートされる、ステップを含む、請求項2に記載の方法。
【請求項６】
前記方法は、前記第1のキャリアと前記第2のキャリアのうち少なくともいずれか一方で前記RLFイベントが発生したと判断する場合に、下記情報のうち、すなわち前記RLFイベント、複数のキャリアのダウンリンクチャネル品質、および前記端末デバイスによって判断される候補キャリアのうち、少なくともいずれか1つを、前記端末デバイスにより、前記ネットワークデバイスへ送信するステップをさらに含む、請求項1から5のいずれか一項に記載の方法。
【請求項７】
無線リンク障害RLFを処理する方法であって、前記方法は、
ネットワークデバイスにより、端末デバイスによって送信される複製されたデータパケットを第1のキャリアと第2のキャリアで受信するステップと、
前記ネットワークデバイスにより、前記端末デバイスによって送信されるRLF指示情報を受信するステップであって、前記RLF指示情報は、前記第1のキャリアで、前記第2のキャリアで、または前記第1のキャリアと前記第2のキャリアで、RLFイベントが発生したことを指示するために使われる、ステップと、
前記ネットワークデバイスにより、前記RLF指示情報に基づいて前記第1のキャリアと前記第2のキャリアで前記RLFイベントが発生したキャリアを判断するステップとを含む、方法。
【請求項８】
前記第1のキャリアは第1の一次コンポーネントキャリアであり、前記第2のキャリアは第1の二次コンポーネントキャリアであり、前記方法は、
前記RLFイベントが前記第1のキャリアで発生し、前記第2のキャリアで発生していないと判断する場合に、前記ネットワークデバイスにより、第2の一次コンポーネントキャリアに対して第3の二次コンポーネントキャリアを構成し、前記端末デバイスへ前記第2の一次コンポーネントキャリアの構成情報を送信し、前記端末デバイスによって送信される前記複製されたデータパケットを前記第2の一次コンポーネントキャリアと前記第2のキャリアで受信するステップ、
前記RLFイベントが前記第1のキャリアで発生せず、前記第2のキャリアで発生したと判断する場合に、前記ネットワークデバイスにより、前記端末デバイスへ前記第2の二次コンポーネントキャリアの構成情報を送信し、前記端末デバイスによって送信される前記複製されたデータパケットを前記第1のキャリアと前記第2の二次コンポーネントキャリアで受信するステップ、あるいは
前記RLFイベントが前記第1のキャリアと前記第2のキャリアの両方で発生したと判断する場合に、前記ネットワークデバイスにより、前記第2の一次コンポーネントキャリアに対して前記第3の二次コンポーネントキャリアを構成し、前記端末デバイスへ前記第2の一次コンポーネントキャリアの前記構成情報と前記第2の二次コンポーネントキャリアの前記構成情報を送信し、前記端末デバイスによって送信される前記複製されたデータパケットを前記第2の一次コンポーネントキャリアと前記第2の二次コンポーネントキャリアで受信するステップをさらに含む、請求項7に記載の方法。
【請求項９】
前記第1のキャリアは第1の二次コンポーネントキャリアであり、前記第2のキャリアは第2の二次コンポーネントキャリアであり、前記方法は、
前記RLFイベントが前記第1のキャリアと前記第2のキャリアのいずれか一方で発生し、前記第1のキャリアと前記第2のキャリアの他方で発生していないと判断する場合に、前記ネットワークデバイスにより、前記端末デバイスへ第3の二次コンポーネントキャリアの構成情報を送信し、前記端末デバイスによって送信される前記複製されたデータパケットを前記第3の二次コンポーネントキャリアと前記RLFイベントが発生していない前記キャリアで受信するステップ、あるいは
前記RLFイベントが前記第1のキャリアと前記第2のキャリアの両方で発生したと判断する場合に、前記ネットワークデバイスにより、前記端末デバイスへ前記第3の二次コンポーネントキャリアの前記構成情報と第4の二次コンポーネントキャリアの構成情報を送信し、前記端末デバイスによって送信される前記複製されたデータパケットを前記第3の二次コンポーネントキャリアと前記第4の二次コンポーネントキャリアで受信するステップをさらに含む、請求項7に記載の方法。
【請求項１０】
前記第1のキャリアは第1の一次コンポーネントキャリアであり、前記第2のキャリアは第1の二次コンポーネントキャリアであり、前記方法は、
前記RLFイベントが前記第1のキャリアで発生したと判断する場合に、前記ネットワークデバイスにより、前記端末デバイスへ再確立命令情報を送信し、前記端末デバイスとのRRC再確立を遂行するステップであって、前記再確立命令情報は、前記ネットワークデバイスとのRRC再確立を遂行することを前記端末デバイスに命令するために使われる、ステップ、あるいは
前記RLFイベントが前記第1のキャリアで発生せず、前記第2のキャリアで発生したと判断する場合に、前記ネットワークデバイスにより、前記端末デバイスへ前記第2の二次コンポーネントキャリアの構成情報を送信し、前記端末デバイスによって送信される前記複製されたデータパケットを前記第1のキャリアと前記第2の二次コンポーネントキャリアで受信するステップをさらに含む、請求項7に記載の方法。
【請求項１１】
前記方法は、前記端末デバイスによって送信される下記情報のうち、すなわち前記RLFイベント、複数のキャリアのダウンリンクチャネル品質、および前記端末デバイスによって判断される候補キャリアのうち、少なくともいずれか1つを、前記ネットワークデバイスによって受信するステップをさらに含む、請求項7から10のいずれか一項に記載の方法。
【請求項１２】
端末デバイスであって、前記端末デバイスは、
複製されたデータパケットを第1のキャリアと第2のキャリアでネットワークデバイスへ送信するように構成された通信ユニットと、
前記第1のキャリアと前記第2のキャリアのうち少なくともいずれか一方でRLFイベントが発生したと判断するように構成された処理ユニットとを含み、
前記通信ユニットは、前記第1のキャリアと前記第2のキャリアのうち少なくともいずれか一方で前記RLFイベントが発生したと前記処理ユニットが判断する場合に、前記ネットワークデバイスへRLF指示情報を送信し、前記RLF指示情報は、前記第1のキャリアで、前記第2のキャリアで、または前記第1のキャリアと前記第2のキャリアで、前記RLFイベントが発生したことを指示するために使われる、ようにさらに構成される、端末デバイス。
【請求項１３】
前記第1のキャリアは第1の一次コンポーネントキャリアであり、前記第2のキャリアは第1の二次コンポーネントキャリアであり、
前記通信ユニットは、前記RLFイベントが前記第1のキャリアで発生し、前記第2のキャリアで発生していないと前記処理ユニットが判断する場合に、前記ネットワークデバイスによって送信される第2の一次コンポーネントキャリアの構成情報を受信し、なおかつ複製されたデータパケットを前記第2の一次コンポーネントキャリアと前記第2のキャリアで前記ネットワークデバイスへ送信するようにさらに構成され、
前記通信ユニットは、前記RLFイベントが前記第1のキャリアで発生せず、前記第2のキャリアで発生したと前記処理ユニットが判断する場合に、前記ネットワークデバイスによって送信される第2の二次コンポーネントキャリアの構成情報を受信し、なおかつ複製されたデータパケットを前記第1のキャリアと前記第2の二次コンポーネントキャリアで前記ネットワークデバイスへ送信するようにさらに構成され、あるいは
前記通信ユニットは、前記RLFイベントが前記第1のキャリアと前記第2のキャリアの両方で発生したと前記処理ユニットが判断する場合に、前記ネットワークデバイスによって送信される前記第2の一次コンポーネントキャリアの前記構成情報と前記第2の二次コンポーネントキャリアの前記構成情報を受信し、なおかつ複製されたデータパケットを前記第2の一次コンポーネントキャリアと前記第2の二次コンポーネントキャリアで前記ネットワークデバイスへ送信するようにさらに構成される、請求項12に記載の端末デバイス。
【請求項１４】
前記第1のキャリアは第1の二次コンポーネントキャリアであり、前記第2のキャリアは第2の二次コンポーネントキャリアであり、
前記通信ユニットは、前記RLFイベントが前記第1のキャリアと前記第2のキャリアのいずれか一方で発生し、前記第1のキャリアと前記第2のキャリアの他方で発生していないと前記処理ユニットが判断する場合に、第3の二次コンポーネントキャリアの構成情報を受信し、なおかつ複製されたデータパケットを前記第3の二次コンポーネントキャリアと前記RLFイベントが発生していない前記キャリアで前記ネットワークデバイスへ送信するようにさらに構成され、あるいは
前記通信ユニットは、前記RLFイベントが前記第1のキャリアと前記第2のキャリアの両方で発生したと前記処理ユニットが判断する場合に、前記第3の二次コンポーネントキャリアの前記構成情報と第4の二次コンポーネントキャリアの構成情報を受信し、なおかつ複製されたデータパケットを前記第3の二次コンポーネントキャリアと前記第4の二次コンポーネントキャリアで前記ネットワークデバイスへ送信するようにさらに構成される、請求項12に記載の端末デバイス。
【請求項１５】
前記第1のキャリアは第1の一次コンポーネントキャリアであり、前記第2のキャリアは第1の二次コンポーネントキャリアであり、
前記通信ユニットは、前記RLFイベントが前記第1のキャリアで発生したと前記処理ユニットが判断する場合に、前記端末デバイスにより、再確立命令情報を受信し、前記再確立命令情報は、前記ネットワークデバイスとのRRC再確立を遂行することを前記端末デバイスに命令するために使われる、ようにさらに構成され、あるいは
前記通信ユニットは、前記RLFイベントが前記第1のキャリアで発生せず、前記第2のキャリアで発生したと前記処理ユニットが判断する場合に、前記ネットワークデバイスによって送信される第2の二次コンポーネントキャリアの構成情報を受信し、なおかつ複製されたデータパケットを前記第1のキャリアと前記第2の二次コンポーネントキャリアで前記ネットワークデバイスへ送信するようにさらに構成される、請求項12に記載の端末デバイス。
【請求項１６】
前記ネットワークデバイスが二次基地局であり、前記RLFイベントが前記第1のキャリアで発生する場合、
前記処理ユニットは、前記RLFイベントが前記第1のキャリアで発生したと判断したときに、タイマーをスタートさせるようにさらに構成され、
前記通信ユニットは、前記タイマーが切れ、前記通信ユニットが前記ネットワークデバイスへのデータパケット送信のために前記第1のキャリアの使用を再開しなかった場合に、前記ネットワークデバイスへ前記RLF指示情報を送信するように具体的に構成される、請求項13に記載の端末デバイス。
【請求項１７】
前記通信ユニットは、前記第1のキャリアと前記第2のキャリアのうち少なくともいずれか一方で前記RLFイベントが発生したと前記処理ユニットが判断する場合に、下記情報のうち、すなわち前記RLFイベント、複数のキャリアのダウンリンクチャネル品質、および前記端末デバイスによって判断される候補キャリアのうち、少なくともいずれか1つを、前記ネットワークデバイスへ送信するようにさらに構成される、請求項12から16のいずれか一項に記載の端末デバイス。
【請求項１８】
ネットワークデバイスであって、前記ネットワークデバイスは、
端末デバイスによって送信される複製されたデータパケットを第1のキャリアと第2のキャリアで受信するように構成された通信ユニットであって、
前記通信ユニットは、前記端末デバイスによって送信されるRLF指示情報を受信し、前記RLF指示情報は、前記第1のキャリアで、前記第2のキャリアで、または前記第1のキャリアと前記第2のキャリアで、RLFイベントが発生したことを指示するために使われる、ようにさらに構成される、通信ユニットと、
前記RLF指示情報に基づいて、前記第1のキャリアと前記第2のキャリアで前記RLFイベントが発生したキャリアを判断するように構成された処理ユニットとを含む、ネットワークデバイス。
【請求項１９】
前記第1のキャリアは第1の一次コンポーネントキャリアであり、前記第2のキャリアは第1の二次コンポーネントキャリアであり、
前記処理ユニットは、前記RLFイベントが前記第1のキャリアで発生し、前記第2のキャリアで発生していないと前記処理ユニットが判断する場合に、第2の一次コンポーネントキャリアに対して第3の二次コンポーネントキャリアを構成するようにさらに構成され、
前記処理ユニットは、前記RLFイベントが前記第1のキャリアと前記第2のキャリアの両方で発生したと前記処理ユニットが判断する場合に、前記第2の一次コンポーネントキャリアに対して前記第3の二次コンポーネントキャリアを構成するようにさらに構成され、
前記通信ユニットは、前記処理ユニットが前記第2の一次コンポーネントキャリアに対して前記第3の二次コンポーネントキャリアを構成する場合に、前記端末デバイスへ前記第2の一次コンポーネントキャリアの構成情報を送信するようにさらに構成され、
前記通信ユニットは、前記RLFイベントが前記第1のキャリアで発生し、前記第2のキャリアで発生していないと前記処理ユニットが判断する場合に、前記端末デバイスによって送信される前記複製されたデータパケットを前記第2の一次コンポーネントキャリアと前記第2のキャリアで受信するようにさらに構成され、
前記通信ユニットは、前記RLFイベントが前記第1のキャリアで発生せず、前記第2のキャリアで発生したと前記処理ユニットが判断する場合に、前記端末デバイスへ前記第2の二次コンポーネントキャリアの構成情報を送信し、なおかつ前記端末デバイスによって送信される前記複製されたデータパケットを前記第1のキャリアと前記第2の二次コンポーネントキャリアで受信するようにさらに構成され、あるいは
前記処理ユニットは、前記RLFイベントが前記第1のキャリアと前記第2のキャリアの両方で発生したと前記処理ユニットが判断する場合に、前記端末デバイスへ前記第2の二次コンポーネントキャリアの前記構成情報を送信し、なおかつ前記端末デバイスによって送信される前記複製されたデータパケットを前記第2の一次コンポーネントキャリアと前記第2の二次コンポーネントキャリアで受信するようにさらに構成される、請求項18に記載のネットワークデバイス。
【請求項２０】
前記第1のキャリアは第1の二次コンポーネントキャリアであり、前記第2のキャリアは第2の二次コンポーネントキャリアであり、
前記通信ユニットは、前記RLFイベントが前記第1のキャリアと前記第2のキャリアのいずれか一方で発生し、前記第1のキャリアと前記第2のキャリアの他方で発生していないと前記処理ユニットが判断する場合に、前記端末デバイスへ第3の二次コンポーネントキャリアの構成情報を送信し、なおかつ前記端末デバイスによって送信される前記複製されたデータパケットを前記第3の二次コンポーネントキャリアと前記RLFイベントが発生していない前記キャリアで受信するようにさらに構成され、あるいは
前記通信ユニットは、前記RLFイベントが前記第1のキャリアと前記第2のキャリアの両方で発生したと前記処理ユニットが判断する場合に、前記端末デバイスへ前記第3の二次コンポーネントキャリアの前記構成情報と第4の二次コンポーネントキャリアの構成情報を送信し、なおかつ前記端末デバイスによって送信される前記複製されたデータパケットを前記第3の二次コンポーネントキャリアと前記第4の二次コンポーネントキャリアで受信するようにさらに構成される、請求項18に記載のネットワークデバイス。
【請求項２１】
前記第1のキャリアは第1の一次コンポーネントキャリアであり、前記第2のキャリアは第1の二次コンポーネントキャリアであり、
前記通信ユニットは、前記RLFイベントが前記第1のキャリアで発生したと前記処理ユニットが判断する場合に、前記端末デバイスへ再確立命令情報を送信し、前記再確立命令情報は、前記ネットワークデバイスとのRRC再確立を遂行することを前記端末デバイスに命令するために使われる、ようにさらに構成され、
前記通信ユニットは、前記RLFイベントが前記第1のキャリアで発生せず、前記第2のキャリアで発生したと前記処理ユニットが判断する場合に、前記端末デバイスへ前記第2の二次コンポーネントキャリアの構成情報を送信し、なおかつ前記端末デバイスによって送信される前記複製されたデータパケットを前記第1のキャリアと前記第2の二次コンポーネントキャリアで受信するようにさらに構成される、請求項18に記載のネットワークデバイス。
【請求項２２】
前記通信ユニットは、前記端末デバイスによって送信される下記情報のうち、すなわち前記RLFイベント、複数のキャリアのダウンリンクチャネル品質、および前記端末デバイスによって判断される候補キャリアのうち、少なくともいずれか1つを受信するようにさらに構成される、請求項18から21のいずれか一項に記載のネットワークデバイス。
【請求項２３】
データ処理方法であって、前記方法は、
ネットワークデバイスによって送信される媒体アクセス制御コントロールエレメントMAC CEを端末デバイスによって受信するステップであって、前記MAC CEは指示情報を携えており、前記指示情報はデータ無線ベアラ識別子フィールドとステータスインジケータフィールドとを含んでおり、前記ステータスインジケータフィールドは複製伝送機能有効化操作と複製伝送機能無効化操作のいずれか一方を遂行することを命令するために使われる、ステップと、
前記データ無線ベアラ識別子フィールドに基づいて前記複製伝送機能有効化操作が遂行されるべきデータ無線ベアラDRBを判断した場合に、前記端末デバイスにより、前記ステータスインジケータフィールドに基づいて前記複製伝送機能有効化操作が遂行されるべき前記DRBに対して前記複製伝送機能有効化操作を遂行するステップと、および／または
前記無線ベアラ識別子フィールドに基づいて前記複製伝送機能無効化操作が遂行されるべきDRBを判断した場合に、前記端末デバイスにより、前記ステータスインジケータフィールドに基づいて前記複製伝送機能無効化操作が遂行されるべき前記DRBに対して前記複製伝送機能無効化操作を遂行するステップとを含む、方法。
【請求項２４】
前記ステータスインジケータフィールドが複製伝送機能有効化操作と複製伝送機能無効化操作のいずれか一方を遂行することを命令するために使われることは、
前記ステータスインジケータフィールドの値が0である場合に、前記ステータスインジケータフィールドが前記複製伝送機能有効化操作を遂行することを命令するために使われることと、
前記ステータスインジケータフィールドの前記値が1である場合に、前記ステータスインジケータフィールドが前記複製伝送機能無効化操作を遂行することを命令するために使われることとを含む、請求項23に記載の方法。
【請求項２５】
前記端末デバイスにより、前記ステータスインジケータフィールドに基づいて前記複製伝送機能無効化操作が遂行されるべき前記DRBに対して前記複製伝送機能無効化操作を遂行する前記ステップの後に、前記方法は、
複数の論理チャネルのいずれか1つでデータを伝送するステップであって、前記複数の論理チャネルは前記複製伝送機能無効化操作が遂行されるべき前記DRBに対応する、ステップをさらに含む、請求項23または24に記載の方法。
【請求項２６】
前記端末デバイスにより、前記ステータスインジケータフィールドに基づいて前記複製伝送機能無効化操作が遂行されるべき前記DRBに対して前記複製伝送機能無効化操作を遂行する前記ステップの後に、前記方法は、
前記端末デバイスにより、論理チャネルとキャリアとの構成された結合ベースの伝送関係を無視するステップをさらに含む、請求項23から25のいずれか一項に記載の方法。
【請求項２７】
データ処理方法であって、前記方法は、
ネットワークデバイスにより、指示情報を判断するステップであって、前記指示情報はデータ無線ベアラ識別子フィールドとステータスインジケータフィールドとを含んでおり、前記ステータスインジケータフィールドは複製伝送機能有効化操作と複製伝送機能無効化操作のいずれか一方を遂行することを命令するために使われ、前記無線ベアラ識別子フィールドは前記複製伝送機能有効化操作が遂行されるべきデータ無線ベアラDRBを指示するために使われ、あるいは前記無線ベアラ識別子フィールドは前記複製伝送機能無効化操作が遂行されるべきDRBを指示するために使われる、ステップと、
前記ネットワークデバイスにより、前記端末デバイスへ媒体アクセス制御コントロールエレメントMAC CEを送信するステップであって、前記MAC CEは前記指示情報を携えている、ステップとを含む、方法。
【請求項２８】
前記ステータスインジケータフィールドが複製伝送機能有効化操作と複製伝送機能無効化操作のいずれか一方を遂行することを命令するために使われることは、
前記ステータスインジケータフィールドの値が0である場合に、前記ステータスインジケータフィールドが前記複製伝送機能有効化操作を遂行することを命令するために使われることと、
前記ステータスインジケータフィールドの前記値が1である場合に、前記ステータスインジケータフィールドが前記複製伝送機能無効化操作を遂行することを命令するために使われることとを含む、請求項27に記載の方法。
【請求項２９】
端末デバイスであって、前記端末デバイスは、
ネットワークデバイスによって送信される媒体アクセス制御コントロールエレメントMAC CEを受信するように構成された受信ユニットであって、前記MAC CEは指示情報を携えており、前記指示情報はデータ無線ベアラ識別子フィールドとステータスインジケータフィールドとを含んでおり、前記ステータスインジケータフィールドは複製伝送機能有効化操作と複製伝送機能無効化操作のいずれか一方を遂行することを命令するために使われる、受信ユニットと、
前記データ無線ベアラ識別子フィールドに基づいて前記複製伝送機能有効化操作が遂行されるべきデータ無線ベアラDRBを判断した場合に、前記ステータスインジケータフィールドに基づいて前記複製伝送機能有効化操作が遂行されるべき前記DRBに対して前記複製伝送機能有効化操作を遂行するように構成された処理ユニットとを含み、
前記処理ユニットは、前記無線ベアラ識別子フィールドに基づいて前記複製伝送機能無効化操作が遂行されるべきDRBを判断した場合に、前記ステータスインジケータフィールドに基づいて前記複製伝送機能無効化操作が遂行されるべき前記DRBに対して前記複製伝送機能無効化操作を遂行するようにさらに構成される、端末デバイス。
【請求項３０】
前記ステータスインジケータフィールドが複製伝送機能有効化操作と複製伝送機能無効化操作のいずれか一方を遂行することを命令するために使われることは、
前記ステータスインジケータフィールドの値が0である場合に、前記ステータスインジケータフィールドが前記複製伝送機能有効化操作を遂行することを命令するために使われることと、
前記ステータスインジケータフィールドの前記値が1である場合に、前記ステータスインジケータフィールドが前記複製伝送機能無効化操作を遂行することを命令するために使われることとを含む、請求項29に記載の端末デバイス。
【請求項３１】
前記端末デバイスは、前記処理ユニットが前記ステータスインジケータフィールドに基づいて前記複製伝送機能無効化操作が遂行されるべき前記DRBに対して前記複製伝送機能無効化操作を遂行した後に、複数の論理チャネルのいずれか1つでデータを伝送するように構成された前記処理ユニットであって、前記複数の論理チャネルは前記複製伝送機能無効化操作が遂行されるべき前記DRBに対応する、前記処理ユニットをさらに含む、請求項29または30に記載の端末デバイス。
【請求項３２】
前記処理ユニットは、前記処理ユニットが前記ステータスインジケータフィールドに基づいて前記複製伝送機能無効化操作が遂行されるべき前記DRBに対して前記複製伝送機能無効化操作を遂行した後に、論理チャネルとキャリアとの構成された結合ベースの伝送関係を無視するようにさらに構成される、請求項29から31のいずれか一項に記載の端末デバイス。
【請求項３３】
ネットワークデバイスであって、前記ネットワークデバイスは、
指示情報を判断するように構成された処理ユニットであって、前記指示情報はデータ無線ベアラ識別子フィールドとステータスインジケータフィールドとを含んでおり、前記ステータスインジケータフィールドは複製伝送機能有効化操作と複製伝送機能無効化操作のいずれか一方を遂行することを命令するために使われ、前記無線ベアラ識別子フィールドは前記複製伝送機能有効化操作が遂行されるべきデータ無線ベアラDRBを指示するために使われ、あるいは前記無線ベアラ識別子フィールドは前記複製伝送機能無効化操作が遂行されるべきDRBを指示するために使われる、処理ユニットと、
前記端末デバイスへ媒体アクセス制御コントロールエレメントMAC CEを送信するように構成された送信ユニットであって、前記MAC CEは前記指示情報を携えている、送信ユニットとを含む、ネットワークデバイス。
【請求項３４】
前記ステータスインジケータフィールドが複製伝送機能有効化操作と複製伝送機能無効化操作のいずれか一方を遂行することを命令するために使われることは、
前記ステータスインジケータフィールドの値が0である場合に、前記ステータスインジケータフィールドが前記複製伝送機能有効化操作を遂行することを命令するために使われることと、
前記ステータスインジケータフィールドの前記値が1である場合に、前記ステータスインジケータフィールドが前記複製伝送機能無効化操作を遂行することを命令するために使われることとを含む、請求項33に記載のネットワークデバイス。
【請求項３５】
コンピュータプログラムを保管するコンピュータ可読記憶媒体であって、前記プログラムは、プロセッサによって実行されると、請求項1から6のいずれか一項に記載の方法を実施する、コンピュータ可読記憶媒体。
【請求項３６】
コンピュータプログラムを保管するコンピュータ可読記憶媒体であって、前記プログラムは、プロセッサによって実行されると、請求項7から11のいずれか一項に記載の方法を実施する、コンピュータ可読記憶媒体。
【請求項３７】
コンピュータプログラムを保管するコンピュータ可読記憶媒体であって、前記プログラムは、プロセッサによって実行されると、請求項23から26のいずれか一項に記載の接続管理方法を実施する、コンピュータ可読記憶媒体。
【請求項３８】
コンピュータプログラムを保管するコンピュータ可読記憶媒体であって、前記プログラムは、プロセッサによって実行されると、請求項27または28に記載の方法を実施する、コンピュータ可読記憶媒体。
【請求項３９】
メモリと、プロセッサと、前記メモリに保管され前記プロセッサ上で実行可能なプログラムとを含む通信装置であって、前記プログラムを実行すると、前記プロセッサは請求項1から6のいずれか一項に記載の方法を実施する、通信装置。
【請求項４０】
メモリと、プロセッサと、前記メモリに保管され前記プロセッサ上で実行可能なプログラムとを含む通信装置であって、前記プログラムを実行すると、前記プロセッサは請求項7から11のいずれか一項に記載の方法を実施する、通信装置。
【請求項４１】
メモリと、プロセッサと、前記メモリに保管され前記プロセッサ上で実行可能なプログラムとを含む通信装置であって、前記プログラムを実行すると、前記プロセッサは請求項23から26のいずれか一項に記載の方法を実施する、通信装置。
【請求項４２】
メモリと、プロセッサと、前記メモリに保管され前記プロセッサ上で実行可能なプログラムとを含む通信装置であって、前記プログラムを実行すると、前記プロセッサは請求項27または28に記載の方法を実施する、通信装置。
【発明の詳細な説明】
【技術分野】
【０００１】
本願は、参照により全文が本願に組み込まれる、2017年6月16日に中国特許庁に提出された「無線リンク障害を処理する方法、端末デバイス、および基地局」と題する中国特許出願第201710458408．7号の優先権を主張する。
【０００２】
本願は通信技術分野に関し、より具体的には無線リンク障害を処理(handling)する方法、端末デバイス、およびネットワークデバイスに関する。
【背景技術】
【０００３】
データパケット伝送の信頼性を向上させるため、データパケットの複製伝送ソリューションが業界で提案されている。具体的に述べると、端末デバイスは基地局に向けて2つの複製されたデータパケットを2つのキャリアで送信できる。このように、基地局は、2つの複製されたデータパケットのいずれか一方を首尾よく受信すれば、端末デバイスから基地局へ送信する必要のあるデータパケットを首尾よく受信できる。
【０００４】
端末デバイスが基地局と通信する過程では無線リンク障害（radio link failure、RLF）イベントが発生することがある。RLFイベントが発生すると、端末デバイスは、端末デバイスと基地局との無線リンクを回復するため、無線リソース制御（radio resource control、RRC）再確立プロセスを遂行する。しかしながら、RLFイベントに基づく現在のRRC再確立プロセスでは、端末デバイスが1つのキャリアで基地局と通信する状況だけが考慮されており、データパケットが複製されて伝送される状況は考慮されていない。したがって、データパケットが複製されて伝送される状況でRLFイベントを処理する方法は、早急に解決する必要のある問題である。
【発明の概要】
【０００５】
本願は、無線リンク障害の処理を最適化するため、無線リンク障害を処理する方法、端末デバイス、およびネットワークデバイスを提供する。
【課題を解決するための手段】
【０００６】
第1の態様によると、本願の一実施形態はRLFを処理する方法を提供する。該方法は、端末デバイスにより、複製されたデータパケットを第1のキャリアと第2のキャリアで基地局へ送信するステップと、第1のキャリアと第2のキャリアのうち少なくともいずれか一方でRLFイベントが発生したと判断する場合に、端末デバイスにより、基地局へRLF指示情報を送信するステップであって、RLF指示情報は、第1のキャリアで、第2のキャリアで、または第1のキャリアと第2のキャリアで、RLFイベントが発生したことを指示するために使われる、ステップとを含む。この技術的解決手段に基づくと、端末デバイスは、一部のキャリアか全部のキャリアでRLFイベントが発生したと判断する場合に、まずはRLFイベントが発生したキャリアを基地局に通知でき、RRC再確立プロセスを開始する必要はない。
【０００７】
第1の態様を参照し、第1の態様の第1の可能な一実装において、第1のキャリアは第1の一次コンポーネントキャリアであり、第2のキャリアは第1の二次コンポーネントキャリアである。該方法は、RLFイベントが第1のキャリアで発生し、第2のキャリアで発生しない場合に、端末デバイスにより、基地局によって送信される第2の一次コンポーネントキャリアの構成情報を受信するステップと、複製されたデータパケットを第2の一次コンポーネントキャリアと第2のキャリアで基地局へ送信するステップと、RLFイベントが第1のキャリアで発生せず、第2のキャリアで発生する場合に、端末デバイスにより、基地局によって送信される第2の二次コンポーネントキャリアの構成情報を受信するステップと、複製されたデータパケットを第1のキャリアと第2の二次コンポーネントキャリアで基地局へ送信するステップと、あるいはRLFイベントが第1のキャリアと第2のキャリアの両方で発生する場合に、端末デバイスにより、基地局によって送信される第2の一次コンポーネントキャリアの構成情報と第2の二次コンポーネントキャリアの構成情報を受信するステップと、複製されたデータパケットを第2の一次コンポーネントキャリアと第2の二次コンポーネントキャリアで基地局へ送信するステップとをさらに含む。この技術的解決手段に基づくと、端末デバイスは、一部のキャリアか全部のキャリアでRLFイベントが発生したと判断する場合に、引き続き他のキャリアで複製されたデータパケットを送信でき、RRC再確立プロセスを開始する必要はない。したがって、RRC再確立の回数を減らすことができ、これによりRRC再確立によって生じる時間の消費は回避される。
【０００８】
第1の態様を参照し、第1の態様の第2の可能な一実装において、第1のキャリアは第1の二次コンポーネントキャリアであり、第2のキャリアは第2の二次コンポーネントキャリアである。該方法は、RLFイベントが第1のキャリアと第2のキャリアのいずれか一方で発生し、第1のキャリアと第2のキャリアの他方で発生しない場合に、端末デバイスにより、第3の二次コンポーネントキャリアの構成情報を受信するステップと、複製されたデータパケットを第3の二次コンポーネントキャリアとRLFイベントが発生していないキャリアで基地局へ送信するステップと、あるいはRLFイベントが第1のキャリアと第2のキャリアの両方で発生する場合に、端末デバイスにより、第3の二次コンポーネントキャリアの構成情報と第4の二次コンポーネントキャリアの構成情報を受信するステップと、複製されたデータパケットを第3の二次コンポーネントキャリアと第4の二次コンポーネントキャリアで基地局へ送信するステップとをさらに含む。この技術的解決手段に基づくと、端末デバイスは、一部のキャリアか全部のキャリアでRLFイベントが発生したと判断する場合に、引き続き他のキャリアで複製されたデータパケットを送信でき、RRC再確立プロセスを開始する必要はない。したがって、RRC再確立の回数を減らすことができ、これによりRRC再確立によって生じる時間の消費は回避される。
【０００９】
第1の態様を参照し、第1の態様の第3の可能な一実装において、第1のキャリアは第1の一次コンポーネントキャリアであり、第2のキャリアは第1の二次コンポーネントキャリアである。該方法は、RLFイベントが第1のキャリアで発生する場合に、端末デバイスにより、再確立命令情報を受信するステップと、基地局とのRRC再確立を遂行するステップであって、再確立命令情報は、基地局とのRRC再確立を遂行することを端末デバイスに命令するために使われる、ステップと、RLFイベントが第1のキャリアで発生せず、第2のキャリアで発生する場合に、端末デバイスにより、基地局によって送信される第2の二次コンポーネントキャリアの構成情報を受信するステップと、複製されたデータパケットを第1のキャリアと第2の二次コンポーネントキャリアで基地局へ送信するステップとをさらに含む。この技術的解決手段に基づくと、端末デバイスは、RLFイベントが一次コンポーネントキャリアで発生する場合に限り、RRC再確立を遂行する。したがって、RRC再確立の回数を減らすことができ、これによりRRC再確立によって生じる時間の消費は回避される。
【００１０】
第1の態様の第1の可能な一実装を参照し、第1の態様の第4の可能な一実装において、基地局が二次基地局であり、RLFイベントが第1のキャリアで発生する場合、基地局へRLF指示情報を送信するステップは、タイマーが切れ、端末デバイスが基地局へのデータパケット送信のために第1のキャリアの使用を再開しなかったと端末デバイスが判断する場合に、端末デバイスにより、基地局へRLF指示情報を送信するステップであって、タイマーは、RLFイベントが第1のキャリアで発生したと端末デバイスが判断するときにスタートされる、ステップを含む。この技術的解決手段に基づくと、端末デバイスは、タイマーが切れ、通信が再開していない場合に限り、基地局へRLF指示情報を送信できる。端末デバイスは、タイマーが切れる前に基地局へのデータパケット送信のために第1のキャリアの使用を再開した場合に、基地局へRLF指示情報を送信する必要がない。したがって、この技術的解決手段では不要なRLF指示情報送信を減らすことができる。
【００１１】
第1の態様、または第1の態様のいずれかの可能な実装を参照し、第1の態様の第5の可能な一実装において、該方法は、第1のキャリアと第2のキャリアのうち少なくともいずれか一方でRLFイベントが発生したと判断する場合に、下記情報のうち、すなわちRLFイベント、複数のキャリアのダウンリンクチャネル品質、および端末デバイスによって判断される候補キャリアのうち、少なくともいずれか1つを、端末デバイスにより、基地局へ送信するステップをさらに含む。この技術的解決手段では、切り替えるべきキャリアを判断するにあたって基地局を支援できる。
【００１２】
第1の態様、または第1の態様のいずれかの可能な実装を参照し、第1の態様の第6の可能な一実装において、端末デバイスにより、複製されたデータパケットを第1のキャリアと第2のキャリアで基地局へ送信するステップの前に、該方法は、端末デバイスにより、サービス関連情報が所定条件を満足すると判断するステップをさらに含む。この技術的解決手段において、端末デバイスは、データパケットを複製して送信する必要があるかどうかを独自に判断できる。
【００１３】
第1の態様の第6の可能な一実装を参照し、第1の態様の第7の可能な一実装において、サービス関連情報は、端末デバイスによって基地局へ送信されるサービスのQoS要件、端末デバイスによって基地局へ送信されるサービスの信頼性要件、および第1のキャリアと第2のキャリアのチャネル品質のうち、いずれか1つ以上を含む。この技術的解決手段は、端末デバイスがデータパケットを複製して送信する必要があるかどうかを判断する際に役立てることができる複数のサービス関連情報を提供する。
【００１４】
第1の態様、または第1の態様のいずれかの可能な実装を参照し、第1の態様の第8の可能な一実装において、端末デバイスにより、複製されたデータパケットを第1のキャリアと第2のキャリアで基地局へ送信するステップの前に、該方法は、基地局によって送信される第1の閾値と第2の閾値を端末デバイスによって受信するステップと、端末デバイスにより、複数のキャリアの伝送パラメータ、第1の閾値、および第2の閾値に基づいて、複数のキャリアで第1のキャリアと第2のキャリアを判断するステップであって、第1のキャリアの伝送パラメータは第1の閾値を満足し、第2のキャリアの伝送パラメータは第2の閾値を満足し、伝送パラメータは、キャリアのチャネル品質、キャリアの負荷、キャリアの伝送誤り率、およびキャリアで伝送できるデータパケットのサイズのうち、いずれか1つ以上を含む、ステップと、端末デバイスにより、基地局へキャリア指示情報を送信するステップであって、キャリア指示情報は、端末デバイスによって判断され、データパケットを複製して送信するために使われるキャリアを、指示するために使われる、ステップとをさらに含む。この技術的解決手段において、基地局は、端末デバイスによって選択でき、データパケットを複製して送信するために使われるキャリアを、半ば静的に指示する。こうして、端末デバイスはデータパケットを複製して送信するために使われるキャリアを選択する明確な許可を有することができる。
【００１５】
第1の態様、または第1の態様のいずれかの可能な実装を参照し、第1の態様の第9の可能な一実装において、端末デバイスにより、複製されたデータパケットを第1のキャリアと第2のキャリアで基地局へ送信するステップは、第2のデータパケットを得るため、端末デバイスにより、送信されるべき第1のデータパケットを複製するステップと、端末デバイスにより、第1のデータパケットを第1のキャリアで基地局へ送信するステップと、端末デバイスにより、第2のデータパケットを第2のキャリアで基地局へ送信するステップとを含む。この技術的解決手段に基づくと、基地局は、2つの複製されたデータパケットのいずれか一方が首尾よく伝送される場合に、得ることが期待されたデータパケットを得ることができる。したがって、この技術的解決手段ではデータパケットの伝送信頼性が向上する。
【００１６】
第2の態様によると、本願の一実施形態はRLFを処理する方法を提供する。該方法は、基地局により、端末デバイスによって送信される複製されたデータパケットを第1のキャリアと第2のキャリアで受信するステップと、基地局により、端末デバイスによって送信されるRLF指示情報を受信するステップであって、RLF指示情報は、第1のキャリアで、第2のキャリアで、または第1のキャリアと第2のキャリアで、RLFイベントが発生したことを指示するために使われる、ステップと、基地局により、RLF指示情報に基づいて第1のキャリアと第2のキャリアでRLFイベントが発生したキャリアを判断するステップとを含む。この技術的解決手段に基づくと、基地局は、一部のキャリアか全部のキャリアでRLFイベントが発生した場合に、まずはRLFイベントが発生したキャリアを得ることができ、RRC再確立プロセスを開始する必要はない。
【００１７】
第2の態様を参照し、第2の態様の第1の可能な一実装において、第1のキャリアは第1の一次コンポーネントキャリアであり、第2のキャリアは第1の二次コンポーネントキャリアである。該方法は、RLFイベントが第1のキャリアで発生し、第2のキャリアで発生していないと判断する場合に、基地局により、第2の一次コンポーネントキャリアに対して第3の二次コンポーネントキャリアを構成するステップと、端末デバイスへ第2の一次コンポーネントキャリアの構成情報を送信するステップと、端末デバイスによって送信される複製されたデータパケットを第2の一次コンポーネントキャリアと第2のキャリアで受信するステップと、RLFイベントが第1のキャリアで発生せず、第2のキャリアで発生したと判断する場合に、基地局により、端末デバイスへ第2の二次コンポーネントキャリアの構成情報を送信するステップと、端末デバイスによって送信される複製されたデータパケットを第1のキャリアと第2の二次コンポーネントキャリアで受信するステップと、あるいはRLFイベントが第1のキャリアと第2のキャリアの両方で発生したと判断する場合に、基地局により、第2の一次コンポーネントキャリアに対して第3の二次コンポーネントキャリアを構成するステップと、端末デバイスへ第2の一次コンポーネントキャリアの構成情報と第2の二次コンポーネントキャリアの構成情報を送信するステップと、端末デバイスによって送信される複製されたデータパケットを第2の一次コンポーネントキャリアと第2の二次コンポーネントキャリアで受信するステップとをさらに含む。この技術的解決手段に基づくと、基地局は、一部のキャリアか全部のキャリアでRLFイベントが発生した場合に、引き続き他のキャリアで端末デバイスによって送信される複製されたデータパケットを受信でき、RRC再確立プロセスを開始する必要はない。したがって、RRC再確立の回数を減らすことができ、これによりRRC再確立によって生じる時間の消費は回避される。
【００１８】
第2の態様を参照し、第2の態様の第2の可能な一実装において、第1のキャリアは第1の二次コンポーネントキャリアであり、第2のキャリアは第2の二次コンポーネントキャリアである。該方法は、RLFイベントが第1のキャリアと第2のキャリアのいずれか一方で発生し、第1のキャリアと第2のキャリアの他方で発生していないと判断する場合に、基地局により、端末デバイスへ第3の二次コンポーネントキャリアの構成情報を送信するステップと、端末デバイスによって送信される複製されたデータパケットを第3の二次コンポーネントキャリアとRLFイベントが発生していないキャリアで受信するステップと、あるいはRLFイベントが第1のキャリアと第2のキャリアの両方で発生したと判断する場合に、基地局により、端末デバイスへ第3の二次コンポーネントキャリアの構成情報と第4の二次コンポーネントキャリアの構成情報を送信するステップと、端末デバイスによって送信される複製されたデータパケットを第3の二次コンポーネントキャリアと第4の二次コンポーネントキャリアで受信するステップとをさらに含む。この技術的解決手段に基づくと、基地局は、一部のキャリアか全部のキャリアでRLFイベントが発生した場合に、引き続き他のキャリアで端末デバイスによって送信される複製されたデータパケットを受信でき、RRC再確立プロセスを開始する必要はない。したがって、RRC再確立の回数を減らすことができ、これによりRRC再確立によって生じる時間の消費は回避される。
【００１９】
第2の態様を参照し、第2の態様の第3の可能な一実装において、第1のキャリアは第1の一次コンポーネントキャリアであり、第2のキャリアは第1の二次コンポーネントキャリアである。該方法は、RLFイベントが第1のキャリアで発生したと判断する場合に、基地局により、端末デバイスへ再確立命令情報を送信するステップと、端末デバイスとのRRC再確立を遂行するステップであって、再確立命令情報は、基地局とのRRC再確立を遂行することを端末デバイスに命令するために使われる、ステップと、RLFイベントが第1のキャリアで発生せず、第2のキャリアで発生したと判断する場合に、基地局により、端末デバイスへ第2の二次コンポーネントキャリアの構成情報を送信するステップと、端末デバイスによって送信される複製されたデータパケットを第1のキャリアと第2の二次コンポーネントキャリアで受信するステップとをさらに含む。この技術的解決手段では、RLFイベントが一次コンポーネントキャリアで発生する場合に限り、RRC再確立が遂行される。したがって、RRC再確立の回数を減らすことができ、これによりRRC再確立によって生じる時間の消費は回避される。
【００２０】
第2の態様、または第2の態様のいずれかの可能な実装を参照し、第2の態様の第4の可能な一実装において、該方法は、端末デバイスによって送信される下記情報のうち、すなわちRLFイベント、複数のキャリアのダウンリンクチャネル品質、および端末デバイスによって判断される候補キャリアのうち、少なくともいずれか1つを、基地局によって受信するステップをさらに含む。基地局はこの情報に基づいて切り替えるべきキャリアを判断できる。
【００２１】
第2の態様、または第2の態様のいずれかの可能な実装を参照し、第2の態様の第5の可能な一実装において、端末デバイスによって送信される複製されたデータパケットを基地局によって第1のキャリアと第2のキャリアで受信するステップの前に、該方法は、基地局により、第1の閾値と第2の閾値を端末デバイスへ送信するステップと、基地局により、端末デバイスによって送信されるキャリア指示情報を受信するステップであって、キャリア指示情報は、端末デバイスによって判断され、データパケットを複製して送信するために使われるキャリアを、指示するために使われる、ステップとをさらに含む。この技術的解決手段において、基地局は、端末デバイスによって選択でき、データパケットを複製して送信するために使われるキャリアを、半ば静的に指示する。こうして、端末デバイスはデータパケットを複製して送信するために使われるキャリアを選択する明確な許可を有することができる。
【００２２】
第2の態様、または第2の態様の第1から第4の可能な実装のいずれか1つを参照し、第2の態様の第6の可能な一実装において、複製されたデータパケットは、複製されたパケットデータコンバージェンスプロトコル層データパケット、または無線リンク制御層データパケットである。端末デバイスによって送信される複製されたデータパケットを基地局によって第1のキャリアと第2のキャリアで受信するステップの前に、該方法は、基地局により、端末デバイスへ第1の指示情報を送信するステップであって、第1の指示情報は、第1のキャリアが第1の論理チャネルでのデータ伝送に使われるキャリアであることを指示するために使われる、ステップと、基地局により、端末デバイスへ第2の指示情報を送信するステップであって、第2の指示情報は、第2のキャリアが第2の論理チャネルでのデータ伝送に使われるキャリアであることを指示するために使われる、ステップとをさらに含む。この技術的解決手段では、論理チャネルが構成されるときに、データパケットを複製して送信するために使われるキャリアを端末デバイスに直接指示できる。
【００２３】
第3の態様によると、本願は端末デバイスを提供する。端末デバイスは、第1の態様、または第1の態様のいずれかの可能な実装に従って端末デバイスによって実施される機能を有する。これらの機能はハードウェアによって実施されてよく、あるいは対応するソフトウェアを実行するハードウェアによって実施されてよい。ハードウェアまたはソフトウェアは前述した機能に相当する1つ以上のモジュールを含んでいる。
【００２４】
第4の態様によると、本願は基地局を提供する。基地局は、第2の態様、または第2の態様のいずれかの可能な実装に従って基地局によって実施される機能を有する。これらの機能はハードウェアによって実施されてよく、あるいは対応するソフトウェアを実行するハードウェアによって実施されてよい。ハードウェアまたはソフトウェアは前述した機能に相当する1つ以上のモジュールを含んでいる。
【００２５】
第5の態様によると、本願は端末デバイスを提供する。端末デバイスはプロセッサとトランシーバとを含んでいる。プロセッサは、第1の態様、または第1の態様のいずれかの可能な実装に従って対応する機能を実施するにあたって端末デバイスを支援するように構成され、例えば、第1のキャリアと第2のキャリアのうち少なくともいずれか一方でRLFイベントが発生したと判断する。トランシーバは、前述した方法で使われる情報を基地局へ送信するにあたって、また基地局によって送信され前述した方法で使われる情報を受信するにあたって、端末デバイスを支援するように構成され、例えば、複製されたデータパケットを第1のキャリアと第2のキャリアで基地局へ送信する。任意に選べることとして、端末デバイスはメモリをさらに含んでよい。メモリはプロセッサに結合するように構成され、メモリは端末デバイスに必要なプログラム命令とデータを保管する。
【００２６】
第6の態様によると、本願は基地局を提供する。基地局はプロセッサとトランシーバとを含んでいる。プロセッサは、第2の態様、または第2の態様のいずれかの可能な実装に従って対応する機能を実施するにあたって基地局を支援するように構成され、例えば、RLF指示情報に基づいて第1のキャリアと第2のキャリアでRLFイベントが発生したキャリアを判断する。トランシーバは、端末デバイスによって送信され前述した方法で使われる情報を受信するにあたって、また前述した方法で使われる情報を端末デバイスに送信するにあたって、基地局を支援するように構成される。任意に選べることとして、基地局はメモリをさらに含んでよい。メモリはプロセッサに結合するように構成される。メモリは基地局に必要なプログラム命令とデータを保管する。
【００２７】
第7の態様によると、本願はコンピュータ可読記憶媒体を提供する。コンピュータ可読記憶媒体は命令を保管する。命令がコンピュータで実行されると、コンピュータは、第1の態様、または第1の態様のいずれかの可能な実装による方法を遂行する。
【００２８】
第8の態様によると、本願はコンピュータ可読記憶媒体を提供する。コンピュータ可読記憶媒体は命令を保管する。命令がコンピュータで実行されると、コンピュータは、第2の態様、または第2の態様のいずれかの可能な実装による方法を遂行する。
【００２９】
第9の態様によると、本願はプロセッサとインターフェースとを含む処理装置を提供する。プロセッサは、第1の態様、または第1の態様のいずれかの可能な実装で機能を実施するにあたって端末デバイスを支援するように構成される。例えば、プロセッサは、複製データパケットを生成し、第1のキャリアと第2のキャリアのうち少なくともいずれか一方でRLFイベントが発生したと判断し、なおかつRLF指示情報を生成するように構成されてよい。プロセッサは生成された複製データパケットとRLF指示情報をインターフェースを通じて端末デバイスのトランシーバへ送り、トランシーバは複製データパケットとRLF指示情報を基地局へ送信する。処理装置は、チップによって、または他のハードウェア（例えば論理回路または集積回路）によって、実装されてよい。
【００３０】
第10の態様によると、本願はプロセッサとインターフェースとを含む処理装置を提供する。プロセッサは、第2の態様、または第2の態様のいずれかの可能な実装で機能を実施するにあたって基地局を支援するように構成される。例えば、プロセッサは、インターフェースを通じてRLF指示情報を得、なおかつRLF指示情報に基づいて第1のキャリアと第2のキャリアでRLFイベントが発生したキャリアを判断するように構成されてよい。処理装置は、チップによって、または他のハードウェア（例えば論理回路または集積回路）によって、実装されてよい。
【００３１】
第11の態様によると、本願は命令を含むコンピュータプログラム製品を提供する。コンピュータプログラム製品がコンピュータで実行されると、コンピュータは、第1の態様、または第1の態様のいずれかの可能な実装による方法を遂行する。
【００３２】
第12の態様によると、本願は命令を含むコンピュータプログラム製品を提供する。コンピュータプログラム製品がコンピュータで実行されると、コンピュータは、第2の態様、または第2の態様のいずれかの可能な実装による方法を遂行する。
【図面の簡単な説明】
【００３３】
【図１】本願の実施形態が応用される移動通信システムの概略構造図である。
【図２】本願の一実施形態によるRLFを処理する方法の概略流れ図である。
【図３】本願の一実施形態による端末デバイスの構造ブロック図である。
【図４】本願の一実施形態による基地局の構造ブロック図である。
【図５】本発明の一実施形態による端末デバイスの構造ブロック図である。
【図６】本発明の一実施形態による基地局の構造ブロック図である。
【図７】本願の一実施形態による通信装置の概略ブロック図である。
【図８】本願の一実施形態による通信装置の別の概略ブロック図である。
【図９】本願の一実施形態による通信装置のさらに別の概略ブロック図である。
【図１０】本願の一実施形態による通信装置のさらに別の概略ブロック図である。
【図１１】本願の一実施形態による通信装置のさらに別の概略ブロック図である。
【図１２】本願の一実施形態による通信装置のさらに別の概略ブロック図である。
【発明を実施するための形態】
【００３４】
これ以降は添付の図面を参照しながら本願の技術的解決手段を説明する。
【００３５】
なお、本願の実施形態の技術的解決手段は様々な通信システムに応用でき、例えばロングタームエボリューション（long term evolution、LTE）システム、LTE周波数分割二重（frequency division duplex、FDD）システム、LTE時分割二重（time division duplex、TDD）システム、4．5世代（4．5th generation、4．5G）ネットワーク、第5世代（5th generation、5G）ネットワーク、ニューラジオ（new radio、NR）に応用できる。
【００３６】
図1は本願の実施形態が応用される移動通信システムの概略構造図である。図1に示されているように、移動通信システムは、コアネットワークデバイス110と、基地局120と、少なくとも1つの端末デバイス（例えば図1の端末デバイス130と端末デバイス140）とを含んでいる。端末デバイスは基地局に無線接続され、基地局はコアネットワークデバイスに無線または有線接続される。コアネットワークデバイスと基地局は別個の物理的デバイスであってよく、あるいはコアネットワークデバイスの機能と基地局の論理的機能が同じ物理的デバイスで統合されてもよく、あるいはコアネットワークデバイスのいくつかの機能と基地局のいくつかの機能が物理的デバイスで統合される。端末デバイスは固定されてよく、あるいは可動であってよい。図1は概略図に過ぎず、通信システムは他のネットワークデバイスをさらに含み得、例えば、図1に示されていない無線リレーデバイスや無線バックホールデバイスをさらに含み得る。本願の実施形態は移動通信システムに含まれるコアネットワークデバイスと基地局と端末デバイスの数に制限を課さない。
【００３７】
アクセスネットワークデバイスと呼ばれることもある基地局は、移動通信システムで端末デバイスによって無線アクセスされるアクセスデバイスであり、NodeB NodeB、エボルブドNodeB eNodeB、5G移動通信システムにおける基地局、将来の移動通信システムにおける基地局、WiFiシステムにおけるアクセスノードなどであってよい。本願の実施形態は基地局によって使用される具体的な技術や具体的なデバイス形態に制限を課さない。
【００３８】
端末デバイスは、端末（terminal）、ユーザー機器（user equipment、UE）、モバイルステーション（mobile station、MS）、モバイルターミナル（mobile terminal、MT）などと呼ばれることもある。端末デバイスは、携帯電話機（mobile phone）、タブレットコンピュータ（pad）、無線送受信機能を有するコンピュータ、仮想現実（virtual reality、VR）端末デバイス、拡張現実（augmented reality、AR）端末デバイス、産業制御（industrial control）に関係する無線端末、自動運転（self driving）に関係する無線端末、遠隔外科学（remote medical surgery）に関係する無線端末、スマートグリッド（smart grid）に関係する無線端末、輸送安全（transportation safety）に関係する無線端末、スマートシティ（smart city）に関係する無線端末、スマートホーム（smart home）に関係する無線端末などであってよい。
【００３９】
基地局と端末デバイスは地上に配備されてよく、屋内または屋外デバイス、手持ち型デバイス、または車載デバイスを含み、水面に配備されてもよく、あるいは航空機、気球、または空中の衛星に配備されてもよい。本願の実施形態は基地局と端末デバイスの応用シナリオに制限を課さない。
【００４０】
本願の実施形態は、ダウンリンク信号伝送、アップリンク信号伝送、またはデバイス間（device to device D2D）信号伝送に応用できる。ダウンリンク信号伝送の場合、送信デバイスは基地局であり、対応する受信デバイスは端末デバイスである。アップリンク信号伝送の場合、送信デバイスは端末デバイスであり、対応する受信デバイスは基地局である。D2D信号伝送の場合、送信デバイスは端末デバイスであり、対応する受信デバイスもまた端末デバイスである。本願の実施形態は信号伝送方向に制限を課さない。
【００４１】
通信は、基地局と端末デバイスとの間で行われてよく、認可スペクトル（licensed spectrum）により、または無認可スペクトル（unlicensed spectrum）により、または認可スペクトルと無認可スペクトルの両方により、端末デバイス間で行われてよい。通信は、基地局と端末デバイスとの間で行われてよく、6Gを下回る周波数スペクトルにより、または6Gを上回る周波数スペクトルにより、または6Gを下回る周波数スペクトルと6Gを上回る周波数スペクトルの両方により、端末デバイス間で行われてよい。本願の実施形態は基地局と端末デバイスに使われるスペクトル周波数に制限を課さない。
【００４２】
図2は本願の一実施形態によるRLFを処理する方法の概略流れ図である。
【００４３】
201．端末デバイスは複製されたデータパケットを第1のキャリアと第2のキャリアで基地局へ送信する。
【００４４】
具体的に述べると、端末デバイスは送信されるべき第1のデータパケットを複製して第2のデータパケットを得ることができ、第1のデータパケットを第1のキャリアで基地局へ送信でき、第2のデータパケットを第2のキャリアで基地局へ送信できる。
【００４５】
本願の本実施形態で説明されている第1のキャリアは1つのキャリアであってよく、あるいは複数のキャリアを含むキャリアグループであってもよい。本願の本実施形態で説明されている第2のキャリアは1つのキャリアであってよく、あるいは複数のキャリアを含むキャリアグループであってもよい。第1のキャリアが一次コンポーネントキャリアであるか一次コンポーネントキャリアを含む場合、第1のキャリアは第1の一次コンポーネントキャリアと呼ばれてよい。第1のキャリアが一次コンポーネントキャリアを含まない場合、第1のキャリアは第1の二次コンポーネントキャリアと呼ばれてよい。第2のキャリアや第3のキャリアなどの場合も同様である。本願の本実施形態で説明されている第1のキャリア、第2のキャリア、第1の一次コンポーネントキャリア、第2の二次コンポーネントキャリアなどにおける「第1」と「第2」は、異なるキャリア、一次コンポーネントキャリア、および二次コンポーネントキャリアを区別することを意図するものに過ぎない。
【００４６】
任意に選べることとして、いくつかの実施形態において、端末デバイスは複製されたデータパケットを第1のキャリアと第2のキャリアだけで基地局へ送信してよい。
【００４７】
任意に選べることとして、いくつかの他の実施形態において、端末デバイスは複製されたデータパケットをM個のキャリアで基地局へ送信してもよく、Mは3以上の正の整数である。この場合、端末デバイスは送信されるべき第1のデータパケットを複製して第1のデータパケットに含まれるM個のデータパケットを得ることができ、M個の複製されたデータパケットをM個のキャリアで基地局へ送信でき、これによりデータ伝送の信頼性が向上する。端末デバイスが複製されたデータパケットをM個のキャリアで基地局へ送信する場合にRLFを処理するために端末デバイスによって使われる方法は、端末デバイスが複製されたデータパケットを2つのキャリアで基地局へ送信する場合にRLFを処理するために端末デバイスによって使われる方法と同様である。換言すると、第1のキャリアと第2のキャリアはM個のキャリアのいずれか2つであってよい。
【００４８】
任意に選べることとして、いくつかの他の実施形態において、例えばデュアルコネクティビティの状況で、キャリアは異なる基地局間のリンク（link）であってよく、基地局は一次基地局か二次基地局であってよい。この場合、第1のキャリアが一次基地局の一次コンポーネントキャリアであるか、一次基地局の一次コンポーネントキャリアを含むなら、第1のキャリアは第1の一次コンポーネントキャリアと呼ぶことができる。第1のキャリアが一次基地局の一次コンポーネントキャリアを含まないなら、第1のキャリアは第1の二次コンポーネントキャリアと呼ぶことができる。第2のキャリアや第3のキャリアなどの場合も同様である。
【００４９】
別段の記載がある場合を除き、本願の本実施形態で説明されている複製されたデータパケットは、複製されたパケットデータコンバージェンスプロトコル（packet data convergence protocol、PDCP）層データパケット、複製された無線リンク制御（radio link control、RLC）層データパケット、または複製された媒体アクセス制御（media access control、MAC）層データパケットであってよい。
【００５０】
例えば、PDCP層データパケットが複製されて伝送される場合は、1つのPDCPエンティティが2つのRLCエンティティに結合される。端末デバイスは送信されるべき第1のPDCP層データパケットを複製して第2のPDCP層データパケットを得る。端末デバイスは2つのRLCエンティティの一方に第1のPDCP層データパケットを引き渡し、2つのRLCエンティティの他方に第2のPDCP層データパケットを引き渡す。2つのRLCエンティティは受け取ったPDCP層データパケットを別々に処理し、第1のPDCP層データパケットと第2のPDCP層データパケットを2つの別々のキャリアで基地局へ送信する。2つのRLCエンティティが受け取ったPDCP層データパケットを処理するプロセスは、先行技術で複製伝送がない場合にRLCエンティティがPDCP層データパケットを処理する方法と同じである。ここでは詳細をさらに説明しない。
【００５１】
複製伝送機能を遂行するため端末デバイスによって使われるRLCエンティティは、RRCシグナリングを使って基地局によって構成されてよい。例えば、基地局は、端末デバイスが複製伝送を遂行するために5つのRLCエンティティを使用でき、5つのRLCエンティティのうちの2つがアクティブ状態になるように構成できる。この場合、端末デバイスは複製伝送を遂行するために2つのRLCエンティティを使用できる。
【００５２】
別の一例として、RLC層データパケットが複製されて伝送される場合、端末デバイスは送信されるべき第1のRLC層データパケットを複製して第2のRLC層データパケットを得る。端末デバイスは第1のRLC層データパケットと第2のRLC層データパケットをMACエンティティへ送信する。MACエンティティは2つのRLC層データパケットを処理し、2つのRLC層データパケットを2つの別々のキャリアで基地局へ送信する。MAC層エンティティがRLC層データパケットを処理するプロセスは、複製伝送がない場合にMACエンティティがRLC層データパケットを処理する方法と同じである。ここでは詳細をさらに説明しない。
【００５３】
別の一例として、MAC層データパケットが複製されて伝送される場合、端末デバイスは送信されるべき第1のMAC層データパケットを複製して第2のMAC層データパケットを得、2つのMAC層データパケットを2つの別々のキャリアで基地局へ送信する。
【００５４】
端末デバイスは、PDCP層データパケット、RLC層データパケット、およびMAC層データパケットのいずれか1つで複製伝送を遂行できる。あるいは、端末デバイスは、PDCP層データパケット、RLC層データパケット、およびMAC層データパケットのいずれか2つか全てで複製伝送を遂行できる。
【００５５】
本願の本実施形態で説明されている、データパケットを複製して伝送する複製伝送（duplicated transmission）が、あるいはデータパケットを複製して伝送する機能が、データパケットが複製されて2つ以上の複製されたデータパケットが得られ、2つ以上の複製されたデータパケットが別々のキャリアでそれぞれ伝送されることを意味することは理解できる。本願の本実施形態で説明されている複製伝送は、自動繰り返し要求などのメカニズムにおけるデータパケット再送（retransmission）を意味しない。
【００５６】
任意に選べることとして、いくつかの実施形態において、基地局が複製伝送機能と複製伝送機能に使われる論理チャネルを構成した後に、複製伝送機能は常に有効状態になってよい。換言すると、端末デバイスは常にデータパケットに対して複製伝送を遂行できる。
【００５７】
任意に選べることとして、いくつかの他の実施形態において、基地局が複製伝送機能と複製伝送機能に使われる論理チャネルを構成した後に、複製伝送機能は無効状態か有効状態になる。
【００５８】
任意に選べることとして、いくつかの実施形態において、基地局は、複製伝送機能を有効化するかどうかを判断してよく、複製伝送機能が有効化されるかどうかを端末デバイスに指示してよい。
【００５９】
任意に選べることとして、いくつかの実施形態において、基地局は、チャネル品質とチャネルの負荷とチャネルの伝送誤り率のいずれか1つ以上に基づいて、複製伝送機能を有効化するかどうかを判断してよい。基地局は、複製伝送機能を有効化するか無効化することを端末デバイスに命令するため、端末デバイスへ媒体アクセス制御（media access control、MAC）コントロールエレメント（control element、CE）を送信できる。
【００６０】
具体的に述べると、MAC CEに携えられる指示情報は、論理チャネル識別子（logical channel ID、LCID）フィールド、またはデータ無線ベアラ識別子（data radio bear ID、DRB ID）フィールド、およびステータスインジケータフィールドを含んでよい。複製伝送機能を有効化するためにMAC CEが使われる場合は、MAC CEに携えられた指示情報の論理チャネル識別子フィールドまたはデータ無線ベアラ識別子フィールドを使って、どの論理チャネルの、またはどのDRBの、複製伝送機能が有効化されるべきかを指示し、ステータスインジケータフィールドを使って状態を有効化するよう命令する。
【００６１】
端末デバイスは、MAC CEを受信した後に、ステータスインジケータフィールドに基づいて有効化操作を判断でき、論理チャネル識別子フィールドによって指示される論理チャネル識別子に基づいて、どの論理チャネルの複製伝送機能が有効化されるべきかを判断でき、論理チャネルインジケータフィールドは同じ複製伝送で数個の論理チャネルのいずれか1つを指示するだけでよい。例えば、1つの複製伝送に論理チャネル1と論理チャネル2と論理チャネル3が使われてよく、別の複製伝送に論理チャネル4と論理チャネル5が使われてよい。論理チャネルインジケータフィールドは論理チャネル1を有効化することを命令するだけでよい。論理チャネルインジケータフィールドが論理チャネル1を有効化すると判断する場合、端末デバイスは論理チャネル2と論理チャネル3も有効化されると判断できる。当然ながら、論理チャネルインジケータフィールドは同じ複製伝送で全ての論理チャネルを指示してもよい。
【００６２】
あるいは、端末デバイスは、MAC CEを受信した後に、ステータスインジケータフィールドに基づいて有効化操作を判断でき、データ無線ベアラ識別子フィールドによって指示されるDRB識別子に基づいて、どのDRBの複製伝送機能が有効化されるべきかを判断できる。
【００６３】
複製伝送機能を無効化するためにMAC CEが使われる場合は、MAC CEに携えられた指示情報の論理チャネル識別子フィールドまたはデータ無線ベアラ識別子フィールドを使って、どの論理チャネルの、またはどのDRBの、複製伝送機能が有効化されるべきかを指示し、ステータスインジケータフィールドを使って状態を無効化するよう命令する。
【００６４】
端末デバイスは、MAC CEを受信した後に、ステータスインジケータフィールドに基づいて無効化操作を判断でき、論理チャネル識別子フィールドによって指示される論理チャネル識別子に基づいて、どの論理チャネルの複製伝送機能が無効化されるべきかを判断でき、論理チャネルインジケータフィールドは無効化されるべき1つ以上の論理チャネルをさらに指示する。
【００６５】
あるいは、端末デバイスは、MAC CEを受信した後に、ステータスインジケータフィールドに基づいて無効化操作を判断でき、データ無線ベアラ識別子フィールドによって指示されるDRB識別子に基づいて、どのDRBの複製伝送機能が無効化されるべきかを判断できる。
【００６６】
任意に選べることとして、複製伝送機能が無効化された後に、UEは1つの論理チャネルを使ってデータを伝送し、論理チャネルとキャリアとの予め構成された結合ベースの伝送関係を無視する。結合ベースの伝送関係は、基地局によって構成され、論理チャネルのデータがキャリアで伝送される必要があることを指示する関係である。有効化に使われるMAC CEと無効化に使われるMAC CEの形式は同じである場合と異なる場合とがある。任意に選べることとして、いくつかの実施形態において、ステータスインジケータフィールドは1ビットを含んでよい。例えば、MAC CEのステータスインジケータフィールドの値が0であることは、MAC CEが無効化に使われるMAC CEであり、複製伝送を無効化するために使われることを指示してよい。MAC CEのステータスインジケータフィールドの値が1であることは、MAC CEが有効化に使われるMAC CEであり、複製伝送を有効化するために使われることを指示してよい。論理チャネル識別子フィールドは6ビットを含んでよく、データ無線ベアラ識別子フィールドは5ビットを含んでよい。加えて、MAC CEはNビットの保留フィールドを有してよく、Nは正の整数であり、MAC CEのサイズは1バイトである。1バイトは8ビットに等しい。MAC CEのサイズは常にバイト数の倍数であってよい。ステータスインジケータフィールドと論理チャネルインジケータフィールドの和が、またはステータスインジケータフィールドと無線ベアラ識別子フィールドの和が、Nビットであり、Nが8より大きい場合、保留フィールドのサイズは16−Nビットであり、MAC CEのサイズは2バイトである。ステータスインジケータフィールドと論理チャネルインジケータフィールドの和が、またはステータスインジケータフィールドと無線ベアラ識別子フィールドの和が、Nビットであり、Nが8に満たない場合、保留フィールドのサイズは8−Nビットであり、MAC CEのサイズは1バイトである。
【００６７】
キャリアアグリゲーション（carrier aggregation、CA）の状況では、複製伝送機能を有効化および無効化するために使われるMAC CEが基地局のMACエンティティによって引き渡される。デュアルコネクティビティ（dual connectivity、DC）の状況では、複製伝送機能を有効化および無効化するために使われるMAC CEが、一次基地局（master node、MN）のみによって引き渡されてよく、あるいは二次基地局のみによって引き渡されてよく、あるいは一次基地局と二次基地局とによって別々に引き渡されてよい。端末デバイスは、1つ以上の基地局によって送信されたMAC CEを受信した後に、1つ以上の基地局によって引き渡されたMAC CEに携えられた指示情報を総合的に検討し、DRBの複製伝送機能をこの場合に有効状態か無効状態にする必要があるかどうかを判断する必要がある。例えば、端末デバイスが一次基地局と二次基地局から2つのMAC CEをそれぞれ受信すると仮定する。2つの基地局によって引き渡されるMAC CEがいずれもDRBの複製伝送機能が有効化されるべきであると指示するなら、UEはDRBの複製伝送機能を有効化する。2つの基地局によって引き渡されるMAC CEがいずれもDRBの複製伝送機能が無効化されるべきであると指示するなら、UEはDRBの複製伝送機能を無効化し、伝送のためにリンクを選択する。2つの基地局によって引き渡されるMAC CEのいずれか一方がDRBの複製伝送機能が有効化されるべきであると指示し、他方がDRBの複製伝送機能が無効化されるべきであると指示するなら、UEはDRBの複製伝送機能を無効化し、データを伝送するため、無効化に使われたMAC CEを引き渡した基地局を選択する。加えて、任意に選べることとして、UEは、2つの基地局によって引き渡されるMAC CEを総合的に検討するときに、処理を遂行するため、2つの基地局によって引き渡されたMAC CEのうち、最新のMAC CEを選択し、任意に選べることとして、それぞれのMAC CEのタイマーを設定してよい。このタイマーはMAC CEを受信するときにスタートされる。タイマーが切れた後に、UEは当該タイマーに対応するMAC CEを意思決定のときに考慮に入れない。
【００６８】
任意に選べることとして、いくつかの他の実施形態において、端末デバイスは、ステップ201の前に、基地局によって送信される複製伝送指示情報を受信してよく、複製伝送指示情報はデータパケットを複製して伝送することを端末デバイスに命令するために使われる。換言すると、図2に示された方法は端末デバイスが複製伝送指示情報を受信した後に遂行される。複製伝送指示情報は複製されて伝送されるデータパケットのタイプを指示するためにさらに使われてもよく、複製されて伝送されるデータパケットのタイプは、PDCP層データパケット、RLC層データパケット、およびMAC層データパケットのうち少なくともいずれか1つであってよい。
【００６９】
任意に選べることとして、いくつかの他の実施形態において、端末デバイスは予め構成された調節に基づいて複製伝送機能を有効化するかどうかを独自に判断してよい。具体的に述べると、端末デバイスは、ステップ201の前に、サービス関連情報が所定条件を満足することを判断してよい。換言すると、図2に示された方法は、サービス関連情報が所定条件を満足すると端末デバイスが判断する場合に遂行される。所定条件は複数のレベルの所定条件を含んでよい。様々なレベルの所定条件が満足される場合に複製されて伝送されるデータパケットのタイプは異なり得る。例えば、サービス関連情報が第1レベルの所定条件を満足する場合、端末デバイスはPDCP層データパケットを複製して伝送してよい。サービス関連情報が第2レベルの所定条件を満足する場合、端末デバイスはRLC層データパケットを複製して伝送してよい。サービス関連情報が第3レベルの所定条件を満足する場合、端末デバイスはMAC層データパケットを複製して伝送してよい。
【００７０】
サービス関連情報は端末デバイスによって基地局へ送信されるサービスの品質関連情報であってよい。例えば、サービス関連情報は端末デバイスによって基地局へ送信されるサービスのサービス品質（quality of service、QoS）要件であってよい。別の一例として、サービス関連情報は端末デバイスによって基地局へ送信されるサービスの信頼性要件であってよい。あるいは、サービス関連情報はサービス伝送に関連する情報であってよい。例えば、サービス関連情報は第1のキャリアと第2のキャリアのチャネル品質であってよい。別の一例として、サービス関連情報は送信されるべきデータパケットのサイズであってもよい。あるいは、サービス関連情報はサービスの属性情報であってよい。例えば、サービス関連情報は送信されるべきデータパケットのサイズであってもよい。
【００７１】
サービス関連情報は、1つの情報を、あるいは複数の情報を、含んでよい。例えば、サービス関連情報は、端末デバイスによって基地局へ送信されるサービスのQoS要件、端末デバイスによって基地局へ送信されるサービスの信頼性要件、送信されるべきデータパケットのサイズ、および第1のキャリアと第2のキャリアのチャネル品質のうち、いずれか1つ以上であってよい。
【００７２】
任意に選べることとして、いくつかの実施形態において、端末デバイスは、ステップ201の前に、第1のキャリアと第2のキャリアを判断する必要がさらにある。
【００７３】
任意に選べることとして、いくつかの実施形態では、データパケットを複製して送信するために使われるキャリアを基地局が端末デバイスに直接指示してよい。
【００７４】
任意に選べることとして、いくつかの他の実施形態では、基地局が端末デバイスへ第1の閾値と第2の閾値を送信してよい。端末デバイスは、複数のキャリアの伝送パラメータ、第1の閾値、および第2の閾値に基づいて、複数のキャリアで第1のキャリアと第2のキャリアを判断してよく、第1のキャリアの伝送パラメータは第1の閾値を満足し、第2のキャリアの伝送パラメータは第2の閾値を満足する。伝送パラメータは、キャリアのチャネル品質、キャリアの負荷、キャリアの伝送誤り率、キャリアで伝送できるデータパケットのサイズのうち、いずれか1つ以上を含んでよい。
【００７５】
任意に選べることとして、いくつかの他の実施形態において、端末デバイスがデータパケット複製伝送を行うときに複製されて伝送されるデータパケットはPDCP層データパケットかRLC層データパケットである。この場合、基地局は端末デバイスへ第1の指示情報と第2の指示情報を送信してよく、第1の指示情報は、第1のキャリアが第1の論理チャネル上でのデータ伝送に使われるキャリアであることを指示するために使われ、第2の指示情報は、第2のキャリアが第2の論理チャネル上でのデータ伝送に使われるキャリアであることを指示するために使われる。
【００７６】
202．端末デバイスは、第1のキャリアと第2のキャリアのうち少なくともいずれか一方でRLFイベントが発生したと判断する場合に、基地局へRLF指示情報を送信し、RLF指示情報は、第1のキャリアで、第2のキャリアで、または第1のキャリアと第2のキャリアで、RLFイベントが発生したことを指示するために使われる。
【００７７】
任意に選べることとして、いくつかの実施形態において、端末デバイスは明示的な指示によって基地局へRLF指示情報を送信してよい。例えば、端末デバイスは基地局へRLF指示シグナリングを送信してよく、RLF指示シグナリングは複数のビットを含んでおり、複数のビットの値はRLFイベントが発生したキャリアに対応するキャリア番号である。
【００７８】
任意に選べることとして、いくつかの実施形態において、端末デバイスは暗黙的な指示によって基地局へRLF指示情報を送信してよい。例えば、端末デバイスは、RLFイベントが発生したキャリアを指示するため、キャリアに対応する何らかの情報を基地局へ送信してよい。例えば、データパケットがPDCP層データパケットかRLCデータパケットである場合、端末デバイスは、RLFイベントが発生したキャリアに対応する論理チャネルを基地局に指示してよい。こうして、基地局は論理チャネルに基づいてRLFイベントが発生したキャリアを判断できる。キャリアに対応する論理チャネルは、論理チャネル上のデータパケットを送信するためにキャリアが使われることを意味する。
【００７９】
任意に選べることとして、いくつかの実施形態において、端末デバイスは、RLFイベントが第1のキャリアで発生し、第2のキャリアでは発生していないと判断する場合に、基地局へRLF指示情報を送信してよい。この場合、RLF指示情報はRLFイベントが第1のキャリアで発生したことを指示するために使われる。
【００８０】
任意に選べることとして、いくつかの実施形態において、端末デバイスは、RLFイベントが第1のキャリアで発生せず、第2のキャリアで発生したと判断する場合に、基地局へRLF指示情報を送信してよい。この場合、RLF指示情報はRLFイベントが第2のキャリアで発生したことを指示するために使われる。
【００８１】
任意に選べることとして、いくつかの実施形態において、端末デバイスは、第1のキャリアと第2のキャリアの両方でRLFイベントが発生したと判断する場合に、基地局へRLF指示情報を送信してよい。この場合、RLF指示情報は第1のキャリアと第2のキャリアの両方でRLFイベントが発生したことを指示するために使われる。任意に選べることとして、いくつかの実施形態において、第1のキャリアと第2のキャリアの両方でRLFイベントが発生する場合、第1のキャリアで発生したRLFイベントと第2のキャリアで発生したRLFイベントは同じである場合がある。任意に選べることとして、いくつかの他の実施形態において、第1のキャリアと第2のキャリアの両方でRLFイベントが発生する場合、第1のキャリアで発生したRLFイベントと第2のキャリアで発生したRLFイベントは異なる場合がある。
【００８２】
任意に選べることとして、いくつかの実施形態において、第1のキャリアは第1の一次コンポーネントキャリアであってよく、第2のキャリアは第1の二次コンポーネントキャリアであってよい。基地局はRLFイベントが発生したキャリアに取って代わるキャリアを判断できる。具体的に述べると、基地局は、RLFイベントが第1のキャリアで発生し、第2のキャリアで発生していないと判断する場合に、第2の一次コンポーネントキャリアに対して第3の二次コンポーネントキャリアを構成でき、端末デバイスへ第2の一次コンポーネントキャリアの構成情報を送信できる。基地局は、第2の一次コンポーネントキャリアに対して第3の二次コンポーネントキャリアを構成する場合に、第2の一次コンポーネントキャリアに対して第3の二次コンポーネントキャリアが構成されることを端末デバイスに指示できる。構成情報は、キャリアのアップリンクおよびダウンリンクチャネル構成パラメータ、様々なプロトコル層（RRC層、サービスデータ適合プロトコル（service data adaption protocol、SDAP）層、PDCP層、RLC層、MAC層、および物理層を含む）のパラメータ構成、セキュリティパラメータ構成、ページング、およびブロードキャスト受信構成を含んでよい。端末デバイスは、第2の一次コンポーネントキャリアの構成情報を受信した後に、複製されたデータパケットを第2の一次コンポーネントキャリアと第2のキャリアで基地局へ送信できる。基地局は、RLFイベントが第1のキャリアで発生せず、第2のキャリアで発生したと判断する場合に、端末デバイスへ第2の二次コンポーネントキャリアの構成情報を送信できる。第2の二次コンポーネントキャリアの構成情報を受信した端末デバイスは、複製されたデータパケットを第1のキャリアと第2の二次コンポーネントキャリアで基地局へ送信できる。基地局は、第1のキャリアと第2のキャリアの両方でRLFイベントが発生したと判断する場合に、第2の一次コンポーネントキャリアに対して第3の二次コンポーネントキャリアを構成でき、第2の一次コンポーネントキャリアの構成情報と第2の二次コンポーネントキャリアの構成情報を端末デバイスへ送信できる。第2の一次コンポーネントキャリアの構成情報と第2の二次コンポーネントキャリアの構成情報を受信した端末デバイス
は、複製されたデータパケットを第2の一次コンポーネントキャリアと第2の二次コンポーネントキャリアで基地局へ送信できる。
【００８３】
任意に選べることとして、いくつかの実施形態において、第1のキャリアは第1の二次コンポーネントキャリアであってよく、第2のキャリアは第2の二次コンポーネントキャリアであってよい。基地局はRLFイベントが発生したキャリアに取って代わるキャリアを判断できる。具体的に述べると、基地局は、RLFイベントが第1のキャリアと第2のキャリアのいずれか一方で発生し、第1のキャリアと第2のキャリアの他方では発生していないと判断する場合に、端末デバイスへ第3の二次コンポーネントキャリアの構成情報を送信できる。第3の二次キャリアの構成情報を受信した端末デバイスは、複製されたデータパケットを第3の二次コンポーネントキャリアとRLFイベントが発生していないキャリアで基地局へ送信できる。基地局は、第1のキャリアと第2のキャリアの両方でRLFイベントが発生したと判断する場合に、第3の二次コンポーネントキャリアの構成情報と第4の二次コンポーネントキャリアの構成情報を端末デバイスへ送信できる。第3の二次コンポーネントキャリアの構成情報と第4の二次コンポーネントキャリアの構成情報を受信した端末デバイスは、複製されたデータパケットを第3の二次コンポーネントキャリアと第4の二次コンポーネントキャリアで基地局へ送信できる。
【００８４】
任意に選べることとして、いくつかの実施形態において、第1のキャリアは第1の一次コンポーネントキャリアであってよく、第2のキャリアは第1の二次コンポーネントキャリアであってよい。基地局は、RLFイベントが第1のキャリアで発生したと判断する場合に、端末デバイスへ再確立命令情報を送信でき、再確立命令情報は、基地局とのRRC再確立を行うことを端末デバイスに命令するために使われる。再確立命令情報を受信した端末デバイスは、基地局とのRRC再確立を行うことができる。基地局は、RLFイベントが第1のキャリアで発生せず、第2のキャリアで発生したと判断する場合に、端末デバイスへ第2の二次コンポーネントキャリアの構成情報を送信できる。第2の二次コンポーネントキャリアの構成情報を受信した端末デバイスは、複製されたデータパケットを第1のキャリアと第2の二次コンポーネントキャリアで基地局へ送信できる。
【００８５】
さらに、基地局が二次基地局であり、RLFイベントが第1のキャリアで発生する場合、端末デバイスは、第1のキャリアでRLFイベントが発生したと判断したときにタイマーをスタートさせることができる。タイマーが切れ、端末デバイスが基地局へのデータパケット送信のために第1のキャリアの使用を再開しなかった場合、端末デバイスは基地局へRLF指示情報を送信できる。端末デバイスは、タイマーが切れる前に基地局へのデータパケット送信のために第1のキャリアの使用を再開した場合に、第1のキャリアでRLFイベントが発生していないと判断でき、基地局へRLF指示情報を送信しなくてよい。
【００８６】
さらに、いくつかの実施形態において、図2に示された方法はステップ203をさらに含んでよい。
【００８７】
203．端末デバイスは、第1のキャリアと第2のキャリアのうち少なくともいずれか一方でRLFイベントが発生したと判断する場合に、下記情報のうち、すなわちRLFイベント、複数のキャリアのダウンリンクチャネル品質、および端末デバイスによって判断される候補キャリアのうち、少なくともいずれか1つを、基地局へ送信できる。
【００８８】
任意に選べることとして、いくつかの実施形態において、端末デバイスは、第1のキャリアと第2のキャリアのうち少なくともいずれか一方でRLFイベントが発生したと判断する場合に、RLFイベント、複数のキャリアのダウンリンクチャネル品質、および端末デバイスによって判断される候補キャリアのうち、いずれか1つを基地局へ送信してよい。
【００８９】
任意に選べることとして、いくつかの他の実施形態において、端末デバイスは、第1のキャリアと第2のキャリアのうち少なくともいずれか一方でRLFイベントが発生したと判断する場合に、RLFイベント、複数のキャリアのダウンリンクチャネル品質、および端末デバイスによって判断される候補キャリアのうち、いずれか2つを基地局へ送信してよい。
【００９０】
任意に選べることとして、いくつかの他の実施形態において、端末デバイスは、第1のキャリアと第2のキャリアのうち少なくともいずれか一方でRLFイベントが発生したと判断する場合に、RLFイベント、複数のキャリアのダウンリンクチャネル品質、および端末デバイスによって判断される候補キャリアを基地局へ送信してよい。
【００９１】
基地局は端末デバイスによって送信されるRLFイベントに基づいてRLFイベントを判断でき、これにより以降の処理を遂行する。
【００９２】
複数のキャリアのダウンリンクチャネル品質を受信した基地局は、複数のキャリアのダウンリンクチャネル品質に基づいて複数のキャリアのいずれか1つを判断し、RLFイベントが発生したキャリアを判断したキャリアに差し替える。基地局によって判断されるキャリアがRLFイベントが発生したキャリアと異なること、またRLFイベントが発生したキャリアと同じデータパケットの送信に使われたキャリアとも異なることは理解できる。
【００９３】
端末デバイスによって判断された候補キャリアを受信した際に、端末デバイスは候補キャリアのいずれか1つを判断でき、RLFイベントが発生したキャリアを判断したキャリアに差し替えることができる。基地局によって判断されるキャリアがRLFイベントが発生したキャリアと異なること、またRLFイベントが発生したキャリアと同じデータパケットの送信に使われたキャリアとも異なることは理解できる。
【００９４】
別段の記載がある場合を除き、本願の本実施形態で説明されているRLFイベントは先行技術におけるRLFイベントであってよく、例えば、RLC層データパケットの再送回数が最大再送回数に達すること、同期していない信号によってリンク障害が発生すること、またはランダムアクセス回数が最大回数に達することであってよい。これは本願の本実施形態で限定されない。
【００９５】
任意に選べることとして、いくつかの実施形態において、端末デバイスは、端末デバイスによって第1のキャリアで送信されるRLC層データパケットの再送回数と端末デバイスによって第2のキャリアで送信されるRLC層データパケットの再送回数がいずれも最大再送回数に達したと判断する場合に、RRC再確立を遂行してよい。換言すると、端末デバイスは、端末デバイスによって第1のキャリアと第2のキャリアのいずれか一方で送信されるRLC層データパケットの再送回数が最大再送回数に達しない場合に、RRC再確立を遂行しない。
【００９６】
任意に選べることとして、いくつかの実施形態において、端末デバイスは、第1のキャリアで送信される第1のRLC層データパケットの再送回数と第2のキャリアで送信される第1のRLC層データパケットの再送回数がいずれも最大再送回数に達したと判断する場合に、RRC再確立を遂行してよい。換言すると、端末デバイスは、第1のキャリアにおけるRLC層データパケットの再送回数と第2のキャリアにおけるRLC層データパケットの再送回数がいずれも最大再送回数に達し、再送回数が最大再送回数に達したRLC層データパケットが同じデータパケットである場合に限り、RRC再確立を遂行する。例えば、最大再送回数が5であると仮定する。第1のキャリアにおける第1のRLC層データパケットの再送回数が最大再送回数5に達し、第1のRLC層データパケットが2回だけ再送されたときに第1のRLC層データパケットが第2のキャリアで首尾よく送信される場合、端末デバイスはRRC再確立を遂行しない。端末デバイスは、第1のキャリアと第2のキャリアにおける第1のRLC層データパケットの再送回数がいずれも最大再送回数に達する場合に限り、RRC再確立を遂行する。
【００９７】
本願の本実施形態で説明されているRRC再確立は先行技術のRRC再確立プロセスと同じである。ここでは詳細をさらに説明しない。
【００９８】
図3は本願の一実施形態による端末デバイスの構造ブロック図である。図3に示されているように、端末デバイス300は通信ユニット301と処理ユニット302とを含んでいる。
【００９９】
通信ユニット301は複製されたデータパケットを第1のキャリアと第2のキャリアで基地局へ送信するように構成される。
【０１００】
処理ユニット302は第1のキャリアと第2のキャリアのうち少なくともいずれか一方でRLFイベントが発生したと判断するように構成される。
【０１０１】
通信ユニット301は、処理ユニット302が第1のキャリアと第2のキャリアのうち少なくともいずれか一方でRLFイベントが発生したと判断した場合に、基地局へRLF指示情報を送信するようにさらに構成され、RLF指示情報は、第1のキャリアと第2のキャリアのうち少なくともいずれか一方でRLFイベントが発生したことを指示するために使われる。
【０１０２】
通信ユニット301はトランシーバによって実装されてよく、処理ユニット302はプロセッサによって実装されてよい。通信ユニット301と処理ユニット302の具体的な機能と有益な効果については、図2に示された方法を参照されたい。ここでは詳細をさらに説明しない。
【０１０３】
図4は本願の一実施形態による基地局の構造ブロック図である。図4に示されているように、基地局400は通信ユニット401と処理ユニット402とを含んでいる。
【０１０４】
通信ユニット401は端末デバイスによって送信される複製されたデータパケットを第1のキャリアと第2のキャリアで受信するように構成される。
【０１０５】
通信ユニット401は端末デバイスによって送信されるRLF指示情報を受信するようにさらに構成され、RLF指示情報は、第1のキャリアと第2のキャリアのうち少なくともいずれか一方でRLFイベントが発生したことを指示するために使われる。
【０１０６】
処理ユニット402はRLF指示情報に基づいて第1のキャリアと第2のキャリアでRLFイベントが発生したキャリアを判断するように構成される。
【０１０７】
通信ユニット401はトランシーバによって実装されてよく、処理ユニット402はプロセッサによって実装されてよい。通信ユニット401と処理ユニット402の具体的な機能と有益な効果については、図2に示された方法を参照されたい。ここでは詳細をさらに説明しない。
【０１０８】
図5は本発明の一実施形態による端末デバイスの構造ブロック図である。図5に示された端末デバイス500は、プロセッサ501と、メモリ502と、トランシーバ503とを含んでいる。
【０１０９】
制御および／またはデータ信号を転送するため、プロセッサ501とメモリ502とトランシーバ503は内部の通信経路を通じて互いに通信する。
【０１１０】
本発明の前述した実施形態で開示されている方法は、プロセッサ501に応用されてよく、あるいはプロセッサ501によって実施されてよい。プロセッサ501は集積回路チップであってよく、信号処理能力を有する。実施過程において、前述した方法のステップは、プロセッサ501内のハードウェア集積論理回路を使って実施でき、あるいはソフトウェアの形をとる命令を使って実施できる。プロセッサ501は、汎用プロセッサ、デジタル信号プロセッサ（digital signal processor、DSP）、特定用途向け集積回路（application specific integrated circuit、ASIC）、フィールドプログラマブルゲートアレイ（field programmable gate array、FPGA）、または他のプログラマブル論理デバイス、ディスクリートゲートまたはトランジスタ論理デバイス、またはディスクリートハードウェアコンポーネントであってよい。プロセッサは、本発明の実施形態で開示されている方法、ステップ、および論理ブロック図を実施または遂行する。汎用プロセッサはマイクロプロセッサであってよく、あるいはプロセッサは従来のプロセッサなどであってよい。本発明の実施形態を参照して開示されている方法のステップは、ハードウェア復号化プロセッサによって直接実行され達成されてよく、あるいはハードウェアと復号化プロセッサ内のソフトウェアモジュールの組み合わせによって実行され達成されてよい。ソフトウェアモジュールは、ランダムアクセスメモリ（random access memory、RAM）、フラッシュメモリ、読み取り専用メモリ（read−only memory、ROM）、プログラム可能読み取り専用メモリ、電気的消去可能プログラム可能メモリ、またはレジスタなど、当技術の成熟した記憶媒体内に置かれてよい。記憶媒体はメモリ502内に位置し、プロセッサ501はメモリ502内の命令を読み取り、プロセッサのハードウェアと共同で前述した方法のステップを完遂する。
【０１１１】
図示されていないが、端末デバイス500が他の装置をさらに含んでよく、例えば、入力装置と、出力装置と、電池とをさらに含んでよいことは理解できる。
【０１１２】
任意に選べることとして、いくつかの実施形態において、メモリ502は、図2に示された方法で端末デバイスによって遂行される方法を遂行するために使われる命令を保管してよい。プロセッサ501はメモリ502内に保管された命令を遂行してよく、図2に示された方法で端末デバイスによって遂行されるステップを他のハードウェア（例えばトランシーバ503）と共同で完遂してよい。具体的な作業プロセスと有益な効果については、図2に示された実施形態の説明を参照されたい。
【０１１３】
図6は本発明の一実施形態による基地局の構造ブロック図である。図6に示された基地局600は、プロセッサ601と、メモリ602と、トランシーバ603とを含んでいる。
【０１１４】
制御および／またはデータ信号を転送するため、プロセッサ601とメモリ602とトランシーバ603は内部の通信経路を通じて互いに通信する。
【０１１５】
本発明の前述した実施形態で開示されている方法は、プロセッサ601に応用されてよく、あるいはプロセッサ601によって実施されてよい。プロセッサ601は集積回路チップであってよく、信号処理能力を有する。実施過程において、前述した方法のステップは、プロセッサ601内のハードウェア集積論理回路を使って実施でき、あるいはソフトウェアの形をとる命令を使って実施できる。プロセッサ601は、汎用プロセッサ、デジタル信号プロセッサ（digital signal processor、DSP）、特定用途向け集積回路（application specific integrated circuit、ASIC）、フィールドプログラマブルゲートアレイ（field programmable gate array、FPGA）、または他のプログラマブル論理デバイス、ディスクリートゲートまたはトランジスタ論理デバイス、またはディスクリートハードウェアコンポーネントであってよい。プロセッサは、本発明の実施形態で開示されている方法、ステップ、および論理ブロック図を実施または遂行する。汎用プロセッサはマイクロプロセッサであってよく、あるいはプロセッサは従来のプロセッサなどであってよい。本発明の実施形態を参照して開示されている方法のステップは、ハードウェア復号化プロセッサによって直接実行され達成されてよく、あるいはハードウェアと復号化プロセッサ内のソフトウェアモジュールの組み合わせによって実行され達成されてよい。ソフトウェアモジュールは、ランダムアクセスメモリ（random access memory、RAM）、フラッシュメモリ、読み取り専用メモリ（read−only memory、ROM）、プログラム可能読み取り専用メモリ、電気的消去可能プログラム可能メモリ、またはレジスタなど、当技術の成熟した記憶媒体内に置かれてよい。記憶媒体はメモリ602内に位置し、プロセッサ601はメモリ602内の命令を読み取り、プロセッサのハードウェアと共同で前述した方法のステップを完遂する。
【０１１６】
任意に選べることとして、いくつかの実施形態において、メモリ602は、図2に示された方法で基地局によって遂行される方法を遂行するために使われる命令を保管してよい。プロセッサ601はメモリ602内に保管された命令を遂行してよく、図2に示された方法で基地局によって遂行されるステップを他のハードウェア（例えばトランシーバ603）と共同で完遂してよい。具体的な作業プロセスと有益な効果については、図2に示された実施形態の説明を参照されたい。
【０１１７】
当業者なら、本明細書で開示されている実施形態で説明されている例から、ユニットやアルゴリズムのステップを、電子ハードウェアによって、またはコンピュータソフトウェアと電子ハードウェアとの組み合わせによって、実装できることに気づくことができる。これらの機能がハードウェアによって遂行されるかソフトウェアによって遂行されるかは、具体的な応用と技術的解決手段の設計制約条件しだいで決まる。当業者なら具体的な用途ごとに説明されている機能を様々な方法で実装できるが、そのような実装は本発明の範囲を超えるものとみなすべきではない。
【０１１８】
説明を簡潔にするため、前述したシステムと装置とユニットの詳しい作業プロセスについては、前述した方法の実施形態の該当するプロセスを参照できること、また、詳細が再度説明されないことを、当業者は明確に理解できる。
【０１１９】
本願で提供されるいくつかの実施形態において、開示されているシステム、装置、および方法が別の様態で実装されてよいことを理解されたい。例えば、説明されている装置の実施形態は一例に過ぎない。例えば、ユニットの分割は論理的な機能分割に過ぎず、実際の実装では別の分割であってもよい。例えば、複数のユニットやコンポーネントがまとめて別のシステムに組み込まれてもよく、一部の機能は無視されてもよく、遂行されなくてもよい。加えて、表示もしくは論述されている相互結合や直接結合や通信接続は何らかのインターフェースを用いて実装されてよい。装置またはユニット間の間接結合や通信接続は電子的形態や機械的形態やその他の形態で実装されてよい。
【０１２０】
単独の部分として説明されているユニットは物理的に単独であってもなくてもよく、ユニットとして表示されている部分は物理的なユニットであってもなくてもよく、1箇所に置かれてもよく、複数のネットワークユニットに分散されてもよい。実施形態の解決手段の目的を達成するため、ユニットの一部または全部が実際の要求に基づいて選ばれてよい。
【０１２１】
加えて、本発明の実施形態の機能ユニットは1つの処理ユニットに統合されてよく、それぞれのユニットが物理的に単独で存在してもよく、2つ以上のユニットは1つのユニットに統合される。
【０１２２】
本願の一実施形態は通信装置をさらに提供する。この通信装置は端末か回路であってよい。通信装置は前述した方法の実施形態で端末デバイスによって遂行されるアクションを遂行するように構成されてよい。
【０１２３】
通信装置が端末である場合、図7は端末の簡素化された概略構造図である。理解と図解を容易にするため、図7では端末が携帯電話機である一例が使われている。図7に示されているように、端末は、プロセッサと、メモリと、無線周波数回路と、アンテナと、入出力装置とを含んでいる。プロセッサは主に、通信プロトコルと通信データを処理し、端末を制御し、ソフトウェアプログラムを実行し、ソフトウェアプログラムのデータを処理するように構成される。メモリは主に、ソフトウェアプログラムとデータを保管するように構成される。無線周波数回路は主に、ベースバンド信号と無線周波数信号との変換を遂行し、なおかつ無線周波数信号を処理するように構成される。アンテナは主に、電磁波の形をとる無線周波数信号を送受するように構成される。タッチスクリーン、ディスプレイ、またはキーボードなどの入出力装置は主に、ユーザーによって入力されるデータを受け取り、なおかつユーザーに向けてデータを出力するように構成される。なお、ある種の端末は入出力装置を具備しない場合がある。
【０１２４】
データを送信する必要がある場合、プロセッサは、送信されるべきデータに対してベースバンド処理を遂行した後に、無線周波数回路へベースバンド信号を出力する。無線周波数回路はベースバンド信号に対して無線周波数処理を遂行し、アンテナを使って無線周波数信号を電磁波の形で送出する。端末へデータが送信されると、無線周波数回路がアンテナを使って無線周波数信号を受信し、無線周波数信号をベースバンド信号に変換し、ベースバンド信号をプロセッサへ出力する。プロセッサはベースバンド信号をデータに変換し、データを処理する。説明を容易にするため、図7は1個のメモリと1個のプロセッサだけを示している。実際の端末製品では1つまたは複数のプロセッサと1つまたは複数のメモリが存在してよい。メモリは記憶媒体や記憶装置などと呼ばれることもある。メモリはプロセッサから独立して配置されてよく、あるいはプロセッサと一体化されてよい。これは本願の本実施形態で限定されない。
【０１２５】
本願の本実施形態において、送受信機能を有するアンテナと無線周波数回路は端末のトランシーバユニットとみなすことができ、処理機能を有するプロセッサは端末の処理ユニットとみなすことができる。図7に示されているように、端末はトランシーバユニット1110と処理ユニット1120とを含んでいる。トランシーバユニットは、トランシーバマシン、トランシーバ、トランシーバ装置などと呼ばれることもある。処理ユニットは、プロセッサ、処理基板、処理モジュール、処理装置などと呼ばれることもある。任意に選べることとして、トランシーバユニット1110で受信機能を実施するコンポーネントは受信ユニットとみなすことができ、トランシーバユニット1110で送信機能を実施するコンポーネントは送信ユニットとみなすことができる。すなわち、トランシーバユニット1110は受信ユニットと送信ユニットとを含む。トランシーバユニットは、トランシーバマシン、トランシーバ、トランシーバ回路などと呼ばれることもある。受信ユニットは、レシーバマシン、レシーバ、レシーバ回路などと呼ばれることもある。送信ユニットは、トランスミッタマシン、トランスミッタ、トランスミッタ回路などを呼ばれることもある。
【０１２６】
トランシーバユニット1110が前述した方法の実施形態における端末側の送信操作と受信操作を遂行するように構成され、処理ユニット1120が、送信操作および受信操作とは異なる、前述した方法の実施形態における端末上の他の操作を遂行するように構成されることを理解されたい。
【０１２７】
例えば、一実装において、トランシーバユニット1110は前述した実施形態における端末側の受信操作を遂行するように構成され、および／またはトランシーバユニット1110は本願の前述した実施形態における端末側の他の送信および受信ステップを遂行するようにさらに構成される。処理ユニット1120は前述した実施形態における端末側の他の処理ステップを遂行するように構成される。
【０１２８】
通信装置がチップである場合、チップはトランシーバユニットと処理ユニットとを含む。トランシーバユニットは入出力回路か通信インターフェースであってよい。処理ユニットは、プロセッサ、マイクロプロセッサ、またはチップ上に集積された集積回路である。
【０１２９】
本実施形態の通信装置が端末である場合は、図8に示されたデバイスを参照されたい。一例において、このデバイスは前述した端末のプロセッサのそれと同様の機能を完遂できる。図8で、デバイスは、プロセッサ1210と、送信データプロセッサ1220と、受信データプロセッサ1230とを含んでいる。前述した実施形態における処理モジュール12または処理モジュール32は図12のプロセッサ1210であってよく、対応する機能を完遂する。前述した実施形態における受信モジュール11または受信モジュール31は図12の受信データプロセッサ1230であってよく、前述した実施形態における送信モジュールは図8の送信データプロセッサ1220であってよい。図8はチャネル符号器とチャネル復号器を示しているが、これらのモジュールは本実施形態を制限するものではなく、図解に過ぎないことは理解できる。
【０１３０】
図9は本実施形態の別の形態を示している。処理装置1300は、変調サブシステム、中央処理サブシステム、周辺サブシステムなどのモジュールを含んでいる。本実施形態の通信装置は変調サブシステムとして使用されてよい。具体的に述べると、変調サブシステムはプロセッサ1303とインターフェース1304とを含んでよい。プロセッサ1303は処理モジュール12または処理モジュール32の機能を完遂し、インターフェース1304は前述した端末の受信モジュールと送信モジュールの機能を完遂する。別の異形において、変調サブシステムは、メモリ1306と、プロセッサ1303と、メモリ1306に保管されプロセッサで実行できるプログラムとを含む。プログラムを実行すると、プロセッサ1303は前述した方法の実施形態における端末側の方法を実施する。なお、メモリ1306は不揮発性であっても揮発性であってもよく、メモリ1306をプロセッサ1303へ接続できるのなら、変調サブシステムの中に、あるいは処理装置1300の中に、配置されてよい。
【０１３１】
本実施形態の別の形態ではコンピュータ可読記憶媒体が提供される。コンピュータ可読記憶媒体は命令を保管し、命令は、実行されると、前述した方法の実施形態における端末側の方法を遂行するために使われる。
【０１３２】
本実施形態の別の形態では命令を含むコンピュータプログラム製品が提供される。命令は、実行されると、前述した方法の実施形態における端末側の方法を遂行するために使われる。
【０１３３】
本願の一実施形態は通信装置をさらに提供する。この通信装置はネットワークデバイスか回路であってよい。通信装置は前述した方法の実施形態で端末によって遂行されるアクションを遂行するように構成されてよい。
【０１３４】
本実施形態の通信装置がネットワークデバイスである場合は、図10に示されたデバイスを参照されたい。このデバイスは、プロセッサ1401と、アプリケーションプロセッサと、メモリと、ユーザーインターフェースと、いくつかの他のコンポーネント（図示されていない電源装置などのデバイスを含む）とを含んでいる。図10で、前述したRANデバイスの処理モジュールはプロセッサ1401であってよく、対応する機能を完遂する。RANデバイスの送信モジュールおよび／または受信モジュールは図の無線トランシーバ1403であってよく、アンテナを使って対応する機能を完遂する。図に示されたコンポーネントが図解に過ぎず、本実施形態を完遂するにあたって必要なコンポーネントではないことは理解できる。
【０１３５】
本実施形態の通信装置がネットワークデバイスである場合は、図11に示されたデバイスを参照されたい。一例において、このデバイスは図10のプロセッサのそれと同様の機能を完遂できる。図11で、デバイスは、プロセッサ1501と、送信データプロセッサ1503と、受信データプロセッサ1505とを含んでいる。図11で、前述したRANデバイスの処理モジュールはプロセッサ1501であってよく、対応する機能を完遂する。RANデバイスの送信モジュール22は図15の送信データプロセッサ1503であってよく、受信モジュールは図11の受信データプロセッサ1505であってよい。図11はチャネル符号器とチャネル復号器を示しているが、これらのモジュールは本実施形態を制限するものではなく、図解に過ぎないことは理解できる。
【０１３６】
図12は本実施形態の別の形態を示している。処理装置1600は、変調サブシステム、中央処理サブシステム、周辺サブシステムなどのモジュールを含んでいる。本実施形態の通信装置は変調サブシステムとして使用されてよい。具体的に述べると、変調サブシステムはプロセッサ1603とインターフェース1604とを含んでよい。プロセッサ1603はRANデバイスの処理モジュールの機能を完遂し、インターフェース1604はRANデバイスの送信モジュールおよび／または受信モジュールの機能を完遂する。別の異形において、変調サブシステムは、メモリ1606と、プロセッサ1603と、メモリに保管されプロセッサで実行できるプログラムとを含む。プログラムを実行すると、プロセッサは前述した方法の実施形態における方法を実施する。なお、メモリ1606は不揮発性であっても揮発性であってもよく、メモリ1606をプロセッサ1603へ接続できるのなら、変調サブシステムの中に、あるいは処理装置1600の中に、配置されてよい。
【０１３７】
本実施形態の別の形態ではコンピュータ可読記憶媒体が提供される。コンピュータ可読記憶媒体は命令を保管し、命令は、実行されると、前述した方法の実施形態におけるRANデバイス側の方法を遂行するために使われる。
【０１３８】
本実施形態の別の形態では命令を含むコンピュータプログラム製品が提供される。命令は、実行されると、前述した方法の実施形態におけるRANデバイス側の方法を遂行するために使われる。
【０１３９】
前述した実施形態の全部または一部は、ソフトウェア、ハードウェア、ファームウェア、またはこれらの組み合わせによって実装されてよい。実施形態を実装するためにソフトウェアが使われる場合は、実施形態が全面的にまたは部分的にコンピュータプログラム製品の形で実装されてよい。コンピュータプログラムは1つ以上のコンピュータ命令を含んでいる。コンピュータプログラム命令がコンピュータで読み込まれて実行されると、本発明の実施形態による手順または機能が全面的にまたは部分的に生成される。コンピュータは、汎用コンピュータ、専用コンピュータ、コンピュータネットワーク、または他のプログラム可能装置であってよい。コンピュータ命令はコンピュータ可読記憶媒体に保管されてよく、あるいはある1つのコンピュータ可読記憶媒体から別のコンピュータ可読記憶媒体へ伝送されてよい。例えば、コンピュータ命令は、ある1つのウェブサイト、コンピュータ、サーバー、またはデータセンターから、別のウェブサイト、コンピュータ、サーバー、またはデータセンターへ、有線方式（例えば同軸ケーブル、光ファイバ、デジタル加入者回線（DSL））で、または無線方式（赤外線、ラジオ、マイクロ波など）で、伝送されてよい。コンピュータ可読記憶媒体はコンピュータによってアクセス可能な何らかの使用可能な媒体であってよく、あるいは1つ以上の使用可能な媒体を統合するサーバーやデータセンターなどのデータ記憶装置であってよい。使用可能な媒体は、磁気媒体（例えばソフトディスク、ハードディスク、または磁気テープ）、光媒体（例えばDVD）、半導体媒体（例えばソリッドステートドライブ（solid state disk、SSD））などであってよい。
【０１４０】
上記の説明は本発明の特定の実装に過ぎず、本発明の保護範囲を制限することを意図するものではない。本発明で開示されている技術的範囲内で当業者によって容易く考え出されるバリエーションや代替は本発明の保護範囲内に入るものとする。したがって、本発明の保護範囲は請求項の保護範囲に従うものとする。
【符号の説明】
【０１４１】
11  受信モジュール
12  処理モジュール
22  送信モジュール
31  受信モジュール
32  処理モジュール
110  コアネットワークデバイス
120  基地局
130  端末デバイス
140  端末デバイス
300  端末デバイス
301  通信ユニット
302  処理ユニット
400  基地局
401  通信ユニット
402  処理ユニット
500  端末デバイス
501  プロセッサ
502  メモリ
503  トランシーバ
600  基地局
601  プロセッサ
602  メモリ
603  トランシーバ
1110  トランシーバユニット
1120  処理ユニット
1210  プロセッサ
1220  送信データプロセッサ
1230  受信データプロセッサ
1300  処理装置
1303  プロセッサ
1304  インターフェース
1306  メモリ
1401  プロセッサ
1403  無線トランシーバ
1501  プロセッサ
1503  送信データプロセッサ
1505  受信データプロセッサ
1600  処理装置
1603  プロセッサ
1604  インターフェース
1606  メモリ
【図１】
2020523946.tif 000003
【図２】
2020523946.tif 000004
【図３】
2020523946.tif 000005
【図４】
2020523946.tif 000006
【図５】
2020523946.tif 000007
【図６】
2020523946.tif 000008
【図７】
2020523946.tif 000009
【図８】
2020523946.tif 000010
【図９】
2020523946.tif 000011
【図１０】
2020523946.tif 000012
【図１１】
2020523946.tif 000013
【図１２】
2020523946.tif 000014
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
無線リンク障害（RLF）を処理する方法であって、前記方法は、
端末デバイスにより、複製されたデータパケットを第1のキャリアと第2のキャリアでネットワークデバイスへ送信するステップであって、前記第1のキャリアは二次コンポーネントキャリアのみを含む、ステップと、
前記第1のキャリアでRLFイベントが発生したと判断する場合に、前記端末デバイスにより、前記ネットワークデバイスへRLF指示情報を送信するステップであって、前記RLF指示情報は、前記第1のキャリアで前記RLFイベントが発生したことを指示するために使われる、ステップと
を含む、方法。
【請求項２】
前記RLFイベントは、RLC層データパケットの再送回数が最大再送回数に達することを含む、請求項1に記載の方法。
【請求項３】
前記RLF指示情報は、前記RLFイベントが発生した前記キャリアに対応する論理チャネルを含んでいる、請求項1から2のいずれか一項に記載の方法。
【請求項４】
前記方法は、
前記端末デバイスにより、媒体アクセス制御コントロールエレメント（MAC CE）を受信するステップと、
前記MAC CEに基づいて複製伝送機能を無効化すると決定するステップと、
論理チャネルでデータを伝送するために使われるキャリアを決定するときに、前記端末デバイスにより、結合ベースの伝送関係を無視するステップであって、前記結合ベースの伝送関係は、前記ネットワークデバイスによって構成され、論理チャネル上のデータが前記論理チャネルに対応するキャリアで伝送されることを意味する、ステップと
をさらに含む、請求項1から3のいずれか一項に記載の方法。
【請求項５】
前記方法は、前記第1のキャリアで前記RLFイベントが発生したと判断する場合に、前記RLFイベントの情報を、前記端末デバイスにより送信するステップをさらに含む、請求項1から4のいずれか一項に記載の方法。
【請求項６】
前記方法は、
前記複製伝送機能を無効化すると決定した後に、前記端末デバイスにより、論理チャネルのいずれか1つでデータを伝送するステップをさらに含む、請求項1から5のいずれか一項に記載の方法。
【請求項７】
前記方法は、
前記複製伝送機能を無効化すると決定した後に、前記端末デバイスにより、構成された結合ベースの伝送関係を無視するステップをさらに含み、
前記結合ベースの伝送関係は、ネットワークデバイスによって構成され、論理チャネル上のデータがキャリアで伝送されることを意味する、請求項1から6のいずれか一項に記載の方法。
【請求項８】
無線リンク障害（RLF）を処理する方法であって、前記方法は、
ネットワークデバイスにより、端末デバイスによって送信される複製されたデータパケットを第1のキャリアと第2のキャリアで受信するステップであって、前記第1のキャリアは二次コンポーネントキャリアのみを含む、ステップと、
前記ネットワークデバイスにより、前記端末デバイスによって送信されるRLF指示情報を受信するステップであって、前記RLF指示情報は、前記第1のキャリアでRLFイベントが発生したことを指示するために使われる、ステップと、
前記ネットワークデバイスにより、前記RLF指示情報に基づいて前記第1のキャリアで前記RLFイベントが発生したキャリアを判断するステップと
を含む、方法。
【請求項９】
前記RLFイベントは、RLC層データパケットの再送回数が最大再送回数に達することを含む、請求項8に記載の方法。
【請求項１０】
前記RLF指示情報は、前記RLFイベントが発生した前記キャリアに対応する論理チャネルを含んでいる、請求項8から9のいずれか一項に記載の方法。
【請求項１１】
前記方法は、前記RLFイベントの情報を、前記ネットワークデバイスによって受信するステップをさらに含む、請求項8から10のいずれか一項に記載の方法。
【請求項１２】
端末デバイスであって、前記端末デバイスは、
複製されたデータパケットを第1のキャリアと第2のキャリアでネットワークデバイスへ送信するように構成された通信ユニットであって、前記第1のキャリアは二次コンポーネントキャリアのみを含む、通信ユニットと、
前記第1のキャリアでRLFイベントが発生したと判断するように構成された処理ユニットと
を含み、
前記通信ユニットは、前記第1のキャリアで前記RLFイベントが発生したと前記処理ユニットが判断する場合に、前記ネットワークデバイスへRLF指示情報を送信し、前記RLF指示情報は、前記第1のキャリアで前記RLFイベントが発生したことを指示するために使われる、ようにさらに構成される、端末デバイス。
【請求項１３】
前記RLFイベントは、RLC層データパケットの再送回数が最大再送回数に達することを含む、請求項12に記載の端末デバイス。
【請求項１４】
前記RLF指示情報は、前記RLFイベントが発生した前記キャリアに対応する論理チャネルを含んでいる、請求項12から13のいずれか一項に記載の端末デバイス。
【請求項１５】
媒体アクセス制御コントロールエレメント（MAC CE）を受信するようにさらに構成された前記通信ユニット、
前記MAC CEに基づいて複製伝送機能を無効化することを決定するようにさらに構成された前記処理ユニット、
論理チャネルでデータを伝送するためにキャリアが使われる場合に、結合ベースの伝送関係を無視するようにさらに構成された前記処理ユニット、前記結合ベースの伝送関係は、前記ネットワークデバイスによって構成され、論理チャネル上のデータが前記論理チャネルに対応するキャリアで伝送されることを意味する、
請求項12から14のいずれか一項に記載の端末デバイス。
【請求項１６】
前記通信ユニットは、前記RLFイベントの情報を、前記ネットワークデバイスへ送信するようにさらに構成される、請求項12から15のいずれか一項に記載の端末デバイス。
【請求項１７】
前記通信ユニットは、前記複製伝送機能を無効化すると決定した後に、論理チャネルのいずれか1つでデータを伝送するようにさらに構成される、請求項12から16のいずれか一項に記載の端末デバイス。
【請求項１８】
前記複製伝送機能を無効化すると決定した後に、構成された結合ベースの伝送関係を無視するようにさらに構成された前記処理ユニット、前記結合ベースの伝送関係は、ネットワークデバイスによって構成され、論理チャネル上のデータがキャリアで伝送されることを意味する、
請求項12から17のいずれか一項に記載の端末デバイス。
【請求項１９】
ネットワークデバイスであって、前記ネットワークデバイスは、
端末デバイスによって送信される複製されたデータパケットを第1のキャリアで受信するように構成された通信ユニットであって、前記第1のキャリアは二次コンポーネントキャリアのみを含み、
前記通信ユニットは、前記端末デバイスによって送信されるRLF指示情報を受信し、前記RLF指示情報は、前記第1のキャリアでRLFイベントが発生したことを指示するために使われる、ようにさらに構成される、通信ユニットと、
前記RLF指示情報に基づいて、前記第1のキャリアで前記RLFイベントが発生したキャリアを判断するように構成された処理ユニットと
を含む、ネットワークデバイス。
【請求項２０】
前記RLFイベントは、RLC層データパケットの再送回数が最大再送回数に達することを含む、請求項19に記載のネットワークデバイス。
【請求項２１】
前記RLF指示情報は、前記RLFイベントが発生した前記キャリアに対応する論理チャネルを含んでいる、請求項19または20に記載のネットワークデバイス。
【請求項２２】
前記通信ユニットは、前記端末デバイスによって送信される前記RLFイベントの情報を受信するようにさらに構成される、請求項19から21のいずれか一項に記載のネットワークデバイス。
【請求項２３】
コンピュータプログラムを保管するコンピュータ可読記憶媒体であって、前記プログラムは、プロセッサによって実行されると、請求項1から7のいずれか一項に記載の方法を実施する、コンピュータ可読記憶媒体。
【請求項２４】
コンピュータプログラムを保管するコンピュータ可読記憶媒体であって、前記プログラムは、プロセッサによって実行されると、請求項8から11のいずれか一項に記載の方法を実施する、コンピュータ可読記憶媒体。
【請求項２５】
メモリと、プロセッサと、前記メモリに保管され前記プロセッサ上で実行可能なプログラムとを含む通信装置であって、前記プログラムを実行すると、前記プロセッサは請求項1から7のいずれか一項に記載の方法を実施する、通信装置。
【請求項２６】
メモリと、プロセッサと、前記メモリに保管され前記プロセッサ上で実行可能なプログラムとを含む通信装置であって、前記プログラムを実行すると、前記プロセッサは請求項8から11のいずれか一項に記載の方法を実施する、通信装置。
【請求項２７】
請求項12から18のいずれか一項に記載の端末デバイスと請求項19から22のいずれか一項に記載のネットワークデバイスとを含む通信システム。
【手続補正２】
【補正対象書類名】明細書
【補正対象項目名】００２９
【補正方法】変更
【補正の内容】
【００２９】
第9の態様によると、本願はプロセッサとインターフェースとを含む処理装置を提供する。プロセッサは、第1の態様、または第1の態様のいずれかの可能な実装で機能を実施するにあたって処理装置を支援するように構成される。例えば、プロセッサは、複製データパケットを生成し、第1のキャリアと第2のキャリアのうち少なくともいずれか一方でRLFイベントが発生したと判断し、なおかつRLF指示情報を生成するように構成されてよい。プロセッサは生成された複製データパケットとRLF指示情報をインターフェースを通じて端末デバイスのトランシーバへ送り、トランシーバは複製データパケットとRLF指示情報を基地局へ送信する。処理装置は、チップによって、または他のハードウェア（例えば論理回路または集積回路）によって、実装されてよい。
【手続補正３】
【補正対象書類名】明細書
【補正対象項目名】００３０
【補正方法】変更
【補正の内容】
【００３０】
第10の態様によると、本願はプロセッサとインターフェースとを含む処理装置を提供する。プロセッサは、第2の態様、または第2の態様のいずれかの可能な実装で機能を実施するにあたって処理装置を支援するように構成される。例えば、プロセッサは、インターフェースを通じてRLF指示情報を得、なおかつRLF指示情報に基づいて第1のキャリアと第2のキャリアでRLFイベントが発生したキャリアを判断するように構成されてよい。処理装置は、チップによって、または他のハードウェア（例えば論理回路または集積回路）によって、実装されてよい。
【手続補正４】
【補正対象書類名】明細書
【補正対象項目名】００３７
【補正方法】変更
【補正の内容】
【００３７】
アクセスネットワークデバイスと呼ばれることもある基地局は、移動通信システムで端末デバイスによって無線アクセスされるアクセスデバイスであり、NodeB、エボルブドNodeB（eNodeB）、5G移動通信システムにおける基地局、将来の移動通信システムにおける基地局、WiFiシステムにおけるアクセスノードなどであってよい。本願の実施形態は基地局によって使用される具体的な技術や具体的なデバイス形態に制限を課さない。
【手続補正５】
【補正対象書類名】明細書
【補正対象項目名】００６０
【補正方法】変更
【補正の内容】
【００６０】
具体的に述べると、MAC CEに携えられる指示情報は、論理チャネル識別子（logical channel ID、LCID）フィールド、またはデータ無線ベアラ識別子（data radio bearer ID、DRB ID）フィールド、およびステータスインジケータフィールドを含んでよい。複製伝送機能を有効化するためにMAC CEが使われる場合は、MAC CEに携えられた指示情報の論理チャネル識別子フィールドまたはデータ無線ベアラ識別子フィールドを使って、どの論理チャネルの、またはどのDRBの、複製伝送機能が有効化されるべきかを指示し、ステータスインジケータフィールドを使って状態を有効化するよう命令する。
【手続補正６】
【補正対象書類名】明細書
【補正対象項目名】００６１
【補正方法】変更
【補正の内容】
【００６１】
端末デバイスは、MAC CEを受信した後に、ステータスインジケータフィールドに基づいて有効化操作を判断でき、論理チャネル識別子フィールドによって指示される論理チャネル識別子に基づいて、どの論理チャネルの複製伝送機能が有効化されるべきかを判断でき、論理チャネル識別子フィールドは同じ複製伝送で数個の論理チャネルのいずれか1つを指示するだけでよい。例えば、1つの複製伝送に論理チャネル1と論理チャネル2と論理チャネル3が使われてよく、別の複製伝送に論理チャネル4と論理チャネル5が使われてよい。論理チャネル識別子フィールドは論理チャネル1を有効化することを命令するだけでよい。論理チャネル識別子フィールドが論理チャネル1を有効化するように命令すると判断する場合、端末デバイスは論理チャネル2と論理チャネル3も有効化されると判断できる。当然ながら、論理チャネル識別子フィールドは同じ複製伝送で全ての論理チャネルを指示してもよい。
【手続補正７】
【補正対象書類名】明細書
【補正対象項目名】００６３
【補正方法】変更
【補正の内容】
【００６３】
複製伝送機能を無効化するためにMAC CEが使われる場合は、MAC CEに携えられた指示情報の論理チャネル識別子フィールドまたはデータ無線ベアラ識別子フィールドを使って、どの論理チャネルの、またはどのDRBの、複製伝送機能が無効化されるべきかを指示し、ステータスインジケータフィールドを使って状態を無効化するよう命令する。
【手続補正８】
【補正対象書類名】明細書
【補正対象項目名】００６４
【補正方法】変更
【補正の内容】
【００６４】
端末デバイスは、MAC CEを受信した後に、ステータスインジケータフィールドに基づいて無効化操作を判断でき、論理チャネル識別子フィールドによって指示される論理チャネル識別子に基づいて、どの論理チャネルの複製伝送機能が無効化されるべきかを判断でき、論理チャネル識別子フィールドは無効化されるべき1つ以上の論理チャネルをさらに指示する。
【手続補正９】
【補正対象書類名】明細書
【補正対象項目名】００６６
【補正方法】変更
【補正の内容】
【００６６】
任意に選べることとして、複製伝送機能が無効化された後に、端末デバイスは1つの論理チャネルを使ってデータを伝送し、論理チャネルとキャリアとの予め構成された結合ベースの伝送関係を無視する。結合ベースの伝送関係は、基地局によって構成され、論理チャネルのデータがキャリアで伝送される必要があることを指示する関係である。有効化に使われるMAC CEと無効化に使われるMAC CEの形式は同じである場合と異なる場合とがある。任意に選べることとして、いくつかの実施形態において、ステータスインジケータフィールドは1ビットを含んでよい。例えば、MAC CEのステータスインジケータフィールドの値が0であることは、MAC CEが無効化に使われるMAC CEであり、複製伝送を無効化するために使われることを指示してよい。MAC CEのステータスインジケータフィールドの値が1であることは、MAC CEが有効化に使われるMAC CEであり、複製伝送を有効化するために使われることを指示してよい。論理チャネル識別子フィールドは6ビットを含んでよく、データ無線ベアラ識別子フィールドは5ビットを含んでよい。加えて、MAC CEはNビットの保留フィールドを有してよく、Nは正の整数であり、MAC CEのサイズは1バイトである。1バイトは8ビットに等しい。MAC CEのサイズは常にバイト数の倍数であってよい。ステータスインジケータフィールドと論理チャネル識別子フィールドの和が、またはステータスインジケータフィールドとデータ無線ベアラ識別子フィールドの和が、Nビットであり、Nが8より大きい場合、保留フィールドのサイズは16−Nビットであり、MAC CEのサイズは2バイトである。ステータスインジケータフィールドと論理チャネル識別子フィールドの和が、またはステータスインジケータフィールドとデータ無線ベアラ識別子フィールドの和が、Nビットであり、Nが8に満たない場合、保留フィールドのサイズは8−Nビットであり、MAC CEのサイズは1バイトである。
【手続補正１０】
【補正対象書類名】明細書
【補正対象項目名】００７８
【補正方法】変更
【補正の内容】
【００７８】
任意に選べることとして、いくつかの実施形態において、端末デバイスは暗黙的な指示によって基地局へRLF指示情報を送信してよい。例えば、端末デバイスは、RLFイベントが発生したキャリアを指示するため、キャリアに対応する何らかの情報を基地局へ送信してよい。例えば、データパケットがPDCP層データパケットかRLC層データパケットである場合、端末デバイスは、RLFイベントが発生したキャリアに対応する論理チャネルを基地局に指示してよい。こうして、基地局は論理チャネルに基づいてRLFイベントが発生したキャリアを判断できる。キャリアに対応する論理チャネルは、論理チャネル上のデータパケットを送信するためにキャリアが使われることを意味する。
【手続補正１１】
【補正対象書類名】明細書
【補正対象項目名】０１２９
【補正方法】変更
【補正の内容】
【０１２９】
本実施形態の通信装置が端末である場合は、図8に示されたデバイスを参照されたい。一例において、このデバイスは前述した端末のプロセッサのそれと同様の機能を完遂できる。図8で、デバイスは、プロセッサ1201と、送信データプロセッサ1203と、受信データプロセッサ1205とを含んでいる。前述した実施形態における受信ユニット11または受信モジュール31は図8の受信データプロセッサ1205であってよく、前述した実施形態における送信ユニットは図8の送信データプロセッサ1203であってよい。図8はチャネル符号器とチャネル復号器を示しているが、これらのモジュールは本実施形態を制限するものではなく、図解に過ぎないことは理解できる。
【手続補正１２】
【補正対象書類名】明細書
【補正対象項目名】０１３０
【補正方法】変更
【補正の内容】
【０１３０】
図9は本実施形態の別の形態を示している。処理装置1300は、変調サブシステム、中央処理サブシステム、周辺サブシステムなどのモジュールを含んでいる。本実施形態の通信装置は変調サブシステムとして使用されてよい。具体的に述べると、変調サブシステムはプロセッサ1303とインターフェース1304とを含んでよい。プロセッサ1303は処理ユニット12または処理ユニット32の機能を完遂し、インターフェース1304は前述した端末の受信ユニットと送信ユニットの機能を完遂する。別の異形において、変調サブシステムは、メモリ1306と、プロセッサ1303と、メモリ1306に保管されプロセッサで実行できるプログラムとを含む。プログラムを実行すると、プロセッサ1303は前述した方法の実施形態における端末側の方法を実施する。なお、メモリ1306は不揮発性であっても揮発性であってもよく、メモリ1306をプロセッサ1303へ接続できるのなら、変調サブシステムの中に、あるいは処理装置1300の中に、配置されてよい。
【手続補正１３】
【補正対象書類名】明細書
【補正対象項目名】０１３３
【補正方法】変更
【補正の内容】
【０１３３】
本願の一実施形態は通信装置をさらに提供する。この通信装置はネットワークデバイスか回路であってよい。通信装置は前述した方法の実施形態で基地局によって遂行されるアクションを遂行するように構成されてよい。
【手続補正１４】
【補正対象書類名】明細書
【補正対象項目名】０１３４
【補正方法】変更
【補正の内容】
【０１３４】
本実施形態の通信装置がネットワークデバイスである場合は、図10に示されたデバイスを参照されたい。このデバイスは、プロセッサ1401と、アプリケーションプロセッサと、メモリと、ユーザーインターフェースと、いくつかの他のコンポーネント（図示されていない電源装置などのデバイスを含む）とを含んでいる。図10で、前述したネットワークデバイスの処理ユニットはプロセッサ1401であってよく、対応する機能を完遂する。ネットワークデバイスの送信モジュールおよび／または受信モジュールは図の無線トランシーバ1403であってよく、アンテナを使って対応する機能を完遂する。図に示されたコンポーネントが図解に過ぎず、本実施形態を完遂するにあたって必要なコンポーネントではないことは理解できる。
【手続補正１５】
【補正対象書類名】明細書
【補正対象項目名】０１３５
【補正方法】変更
【補正の内容】
【０１３５】
本実施形態の通信装置がネットワークデバイスである場合は、図11に示されたデバイスを参照されたい。一例において、このデバイスは図10のプロセッサのそれと同様の機能を完遂できる。図11で、デバイスは、プロセッサ1501と、送信データプロセッサ1503と、受信データプロセッサ1505とを含んでいる。図11で、前述したネットワークデバイスの処理ユニットはプロセッサ1501であってよく、対応する機能を完遂する。ネットワークデバイスの送信モジュール22は図15の送信データプロセッサ1503であってよく、受信モジュールは図11の受信データプロセッサ1505であってよい。図11はチャネル符号器とチャネル復号器を示しているが、これらのモジュールは本実施形態を制限するものではなく、図解に過ぎないことは理解できる。
【手続補正１６】
【補正対象書類名】明細書
【補正対象項目名】０１３６
【補正方法】変更
【補正の内容】
【０１３６】
図12は本実施形態の別の形態を示している。処理装置1600は、変調サブシステム、中央処理サブシステム、周辺サブシステムなどのモジュールを含んでいる。本実施形態の通信装置は変調サブシステムとして使用されてよい。具体的に述べると、変調サブシステムはプロセッサ1603とインターフェース1604とを含んでよい。プロセッサ1603はネットワークデバイスの処理ユニットの機能を完遂し、インターフェース1604はネットワークデバイスの送信モジュールおよび／または受信モジュールの機能を完遂する。別の異形において、変調サブシステムは、メモリ1606と、プロセッサ1603と、メモリに保管されプロセッサで実行できるプログラムとを含む。プログラムを実行すると、プロセッサは前述した方法の実施形態における方法を実施する。なお、メモリ1606は不揮発性であっても揮発性であってもよく、メモリ1606をプロセッサ1603へ接続できるのなら、変調サブシステムの中に、あるいは処理装置1600の中に、配置されてよい。
【手続補正１７】
【補正対象書類名】明細書
【補正対象項目名】０１３７
【補正方法】変更
【補正の内容】
【０１３７】
本実施形態の別の形態ではコンピュータ可読記憶媒体が提供される。コンピュータ可読記憶媒体は命令を保管し、命令は、実行されると、前述した方法の実施形態におけるネットワークデバイス側の方法を遂行するために使われる。
【手続補正１８】
【補正対象書類名】明細書
【補正対象項目名】０１３８
【補正方法】変更
【補正の内容】
【０１３８】
本実施形態の別の形態では命令を含むコンピュータプログラム製品が提供される。命令は、実行されると、前述した方法の実施形態におけるネットワークデバイス側の方法を遂行するために使われる。
【国際調査報告】
2020523946.tif 000015
2020523946.tif 000016
2020523946.tif 000017
2020523946.tif 000018
2020523946.tif 000019
2020523946.tif 000020